(57)【要約】  時間ベースの測定結果の品質推定を可能にするための第１のネットワークノード１１０、及び無線通信ネットワーク１００における第１のネットワークノード１１０における方法。方法は、第２のネットワークノード１２０から受信される信号に基づいてタイミング測定を実行することを含む。また、第２のネットワークノード１２０から受信される信号についてのチャネル特性の値が判定される。さらに、タイミング測定結果の品質推定が可能になるように、チャネル特性の判定される値はタイミング測定結果に関連付けられる。また、測位ノード１３０における方法、測位ノード１３０、モジュール８００における方法、及びモジュール８００が提示される。【選択図】図３
2013520922.tif 000002
【特許請求の範囲】
【請求項１】
時間ベースの測定結果の品質推定を可能にするための第１のネットワークノード（１１０）における方法であって、当該第１のネットワークノード（１１０）と第２のネットワークノード（１２０）とは無線通信ネットワーク（１００）に備えられ、前記方法は、
前記第２のネットワークノード（１２０）から受信される信号に基づいてタイミング測定を実行すること（３０２）と、
前記第２のネットワークノード（１２０）から受信される前記信号についてのチャネル特性の値を判定すること（３０３）と、
タイミング測定結果の品質推定が可能になるように、前記チャネル特性の判定される前記値を前記タイミング測定結果に関連付けること（３０４）と、
を含む、方法。
【請求項２】
前記タイミング測定結果は、リファレンス信号時間差（ＲＳＴＤ）測定結果である、請求項１に記載の方法。
【請求項３】
前記タイミング測定結果は、少なくとも１つの第２のネットワークノード（１２０）から受信される測位リファレンス信号（ＰＲＳ）に基づく、請求項１又は請求項２のいずれか１項に記載の方法。
【請求項４】
前記チャネル特性の前記値は、通信チャネルのチャネル遅延スプレッド、測定される信号品質若しくは受信される信号強度、又は、リファレンス信号の相関情報のうちのいずれかに基づく、請求項１〜３のいずれか１項に記載の方法。
【請求項５】
前記チャネル特性の判定される前記値を前記タイミング測定結果に関連付けること（３０４）は、
前記チャネル特性の判定される前記値を品質メトリック値に変換することと、
前記品質メトリック値を前記タイミング測定結果に関連付けることと、
を含む、請求項１〜４のいずれか１項に記載の方法。
【請求項６】
前記タイミング測定結果及び関連付けられる前記品質メトリック値に基づいて、前記第１のネットワークノード（１１０）の地理的な位置を判定すること（３０５）、
をさらに含む、請求項１〜５のいずれか１項に記載の方法。
【請求項７】
前記品質メトリック値は、前記第１のネットワークノード（１１０）についての位置算出において利用されるタイミング測定結果の重みを判定するために用いられる、請求項６に記載の方法。
【請求項８】
前記タイミング測定結果並びに判定される前記チャネル特性値及び／又は品質メトリック値の関連付けられる値を、測位ノード（１３０）に提供して、前記タイミング測定結果及び関連付けられる前記チャネル特性値及び／又は前記品質メトリック値に基づいて、前記第１のネットワークノード（１１０）の測位を可能にすること、
をさらに含む、請求項１〜７のいずれか１項に記載の方法。
【請求項９】
相関出力の少なくとも一部を前記測位ノード（１３０）にシグナリングすること、
をさらに含む、請求項８に記載の方法。
【請求項１０】
前記タイミング測定（３０２）をトリガする測位要求を受信すること（３０１）、
をさらに含む、請求項１〜９のいずれか１項に記載の方法。
【請求項１１】
判定される前記チャネル特性値の品質メトリック値への前記変換は、判定される前記チャネル特性値を、メモリ中のルックアップテーブルにおける所定の対応する品質メトリック値のリストにマッピングすることによって実行される、請求項２、又は、請求項２に従属する請求項３〜１０のいずれか１項に記載の方法。
【請求項１２】
判定される前記チャネル特性値の品質メトリック値への前記変換は、前記チャネル特性の前記値を前記品質メトリック値に関連させる、指数関数といった品質関数を実行することを含む、請求項２、又は、請求項２に従属する請求項３〜１０のいずれか１項に記載の方法。
【請求項１３】
前記タイミング測定結果及び関連付けられる前記品質メトリック値に基づいて、前記第１のネットワークノード（１１０）の前記地理的な位置を判定すること（３０５）は、
個別のネットワークノード（１２０−１，１２０−２，１２０−３）から受信される信号について得られる複数のタイミング測定結果を取得することと、各測定結果は取得される品質メトリック値に関連付けられることと、
品質メトリック値の対応するセットを取得することと、
取得される前記タイミング測定結果を、それぞれの関連付けられる前記品質メトリック値に基づいて、優先順位リストにおいてソートすることと、
基準に従って前記優先順位リストから優先順で選択される前記タイミング測定結果のサブセットに基づいて、前記第１のネットワークノード（１１０）の前記地理的な位置を算出することと、
を含む、請求項６〜１２のいずれか１項に記載の方法。
【請求項１４】
前記基準は、閾値によって与えられ、前記タイミング測定結果のサブセットは、その品質値が当該閾値の一方の側に存在する測定結果を含む、請求項１３に記載の方法。
【請求項１５】
より高い品質メトリック値を有する前記タイミング測定結果は、前記位置算出においてより高い重みを与えられる、請求項１３又は請求項１４のいずれか１項に記載の方法。
【請求項１６】
時間ベースの測定結果の前記品質推定結果は、所与の信頼水準における前記測定結果の不確かさをさらに含む、請求項１〜１５のいずれか１項に記載の方法。
【請求項１７】
前記第１のネットワークノード（１１０）はユーザ機器を含み、前記第２のネットワークノード（１２０）は基地局を含む、請求項１〜１６のいずれか１項に記載の方法。
【請求項１８】
前記第１のネットワークノード（１１０）は基地局を含み、前記第２のネットワークノード（１２０）はユーザ機器を含む、請求項１〜１６のいずれか１項に記載の方法。
【請求項１９】
レポートされる各ＲＳＴＤ値及び所与の信頼水準について、前記ＲＳＴＤ値を取得するために用いられるものと同じ統計的な演算を適用することによって取得される、推定されるＲＳＴＤ品質についての１つのレポートされる値が存在し得る、請求項２〜１８のいずれか１項に記載の方法。
【請求項２０】
時間ベースの測定結果の前記品質推定結果は、特定の測位サービス品質（ＱｏＳ）に関連付けられる、請求項１〜１９のいずれか１項に記載の方法。
【請求項２１】
時間ベースの測定結果の品質推定を可能にするための第１のネットワークノード（１１０）であって、当該第１のネットワークノード（１１０）と第２のネットワークノード（１２０）とは無線通信ネットワーク（１００）に備えられ、前記第１のネットワークノード（１１０）は、
前記第２のネットワークノード（１２０）から受信される信号に基づいてタイミング測定を実行し、前記第２のネットワークノード（１２０）から受信される信号についてのチャネル特性の値を判定し、前記タイミング測定結果の品質推定が可能になるように、前記チャネル特性の判定される前記値を前記タイミング測定結果に関連付けるように構成されるプロセッサ（４２０）、
を備える、第１のネットワークノード（１１０）。
【請求項２２】
時間ベースの測定結果の品質推定を可能にするための、測位ノード（１３０）における方法であって、当該測位ノード（１３０）と第１のネットワークノード（１１０）とは無線通信ネットワーク（１００）に備えられ、当該方法は、
タイミング測定結果並びに関連付けられるチャネル特性値及び／又は品質メトリック値を前記第１のネットワークノード（１１０）から受信し（５０１）て、受信される前記タイミング測定結果並びに前記関連付けられるチャネル特性値及び／又は品質メトリック値に基づいて、前記第１のネットワークノード（１１０）の測位を可能にすることと、
を含む、方法。
【請求項２３】
受信される前記タイミング測定結果がチャネル特性の値に関連付けられる場合、
前記チャネル特性の前記値を品質メトリック値に変換すること（５０２）と、
前記品質メトリック値を前記タイミング測定結果に関連付けること（５０３）と、
をさらに含む、請求項２２に記載の方法。
【請求項２４】
前記タイミング測定結果及び関連付けられる前記品質メトリック値に基づいて、前記第１のネットワークノード（１１０）の地理的な位置を判定すること（５０４）、
をさらに含む、請求項２２又は請求項２３のいずれか１項に記載の方法。
【請求項２５】
時間ベースの測定結果の品質推定を可能にするための測位ノード（１３０）であって、当該測位ノード（１３０）と第１のネットワークノード（１１０）とは無線通信ネットワーク（１００）に備えられ、前記測位ノード（１３０）は、
タイミング測定結果並びに関連付けられるチャネル特性値及び／又は品質メトリック値を前記第１のネットワークノード（１１０）から受信して、受信される前記タイミング測定結果並びに関連付けられる前記チャネル特性値及び／又は前記品質メトリック値に基づいて、前記第１のネットワークノード（１１０）の測位を可能にするように構成される受信機（６１０）、
を備える、測位ノード（１３０）。
【請求項２６】
チャネル特性の値を品質メトリック値に関連させることによって品質関数を取得するための、無線通信ネットワーク（１００）におけるモジュール（８００）における方法であって、これらの値はタイミング測定結果に関連付けられ、当該方法は、
第２のネットワークノード（１２０）から受信される信号について参照タイミング指標を取得すること（７０１）と、
前記第２のネットワークノード（１２０）によって送信される信号について、前記第１のネットワークノード（１１０）によってタイミング測定結果を取得すること（７０２）と、
前記参照タイミング指標と取得される前記タイミング測定結果との間の差に基づいて、取得されるタイミング測定結果ごとに、タイミング測定結果誤差とチャネル特性の少なくとも１つの値とを算出すること（７０３）と、
前記チャネル特性を対応する前記タイミング測定結果に関連付けること（７０４）と、
前記チャネル特性と前記タイミング測定結果誤差との間の関係を反映する品質メトリックを定義すること（７０５）と、
を含む、方法。
【請求項２７】
チャネル特性の値を品質メトリック値に関連させることによって品質関数を取得するための、無線通信ネットワーク（１００）におけるモジュール（８００）であって、これらの値はタイミング測定結果に関連付けられ、当該モジュール（８００）は、
第２のネットワークノード（１２０）から受信される信号について参照タイミング指標を取得し、
前記第２のネットワークノード（１２０）によって送信される信号について、前記第１のネットワークノード（１１０）によってタイミング測定結果を取得し、
前記参照タイミング指標と取得される前記タイミング測定結果との間の差に基づいて、取得されるタイミング測定結果ごとに、タイミング測定結果誤差とチャネル特性の少なくとも１つの値とを算出し、
前記チャネル特性を対応する前記タイミング測定結果に関連付け、前記チャネル特性と前記タイミング測定結果誤差との間の関係を反映する品質メトリックを定義する、
ように構成されるプロセッサ（８２０）、
を備える、モジュール（８００）。
【発明の詳細な説明】
【技術分野】
【０００１】
本開示は、一般に、無線通信ネットワークにおける信号測定結果に関し、特に、複数のノードについての信号測定結果の品質を、測位、ロケーション、及びロケーションベースのサービスに利用する無線ネットワークアーキテクチャに関する。
【背景技術】
【０００２】
例えば無線ネットワークにおけるユーザ端末といった、ターゲットノードの地理的なロケーションを識別する可能性により、例えば、ナビゲーションアシスタンス、ソーシャルネットワーキング、位置認識広告、緊急通報等といった多種多様な商業的サービス及び非営利のサービスが可能となる。異なるサービスは、用途によって課される異なる測位精度要件を有し得る。また、幾つかの国家においては、基本的な救急サービスのために測位精度について幾つかの規制上の要件が存在する。即ち、米国における連邦通信委員会（Federal  Communications  Commission（ＦＣＣ））のＥｎｈａｎｃｅｄ  ９１１（Ｅ９１１）がある。
【０００３】
多くの環境において、位置は、全地球測位システム（ＧＰＳ：Global  Positioning  System）に基づく測位方法を用いて推定され得る。多くのネットワークにおいて、例えば、アシスト型ＧＰＳ測位（Ａ−ＧＰＳ：Assisted-GPS  positioning）などのように、端末受信機の感度及びＧＰＳの始動性能を改善するために、ユーザ端末を支援することがしばしば可能である。ただし、ＧＰＳ受信機又はＡ−ＧＰＳ受信機は、必ずしも全てのユーザ端末において利用可能ではないことがある。さらに、ターゲットノードが屋内環境及び／又は都市の谷間に位置している場合、ＧＰＳは時々機能しないことがある。そのため、第３世代パートナーシッププロジェクト（３ＧＰＰ：3rd  Generation  Partnership  Project）によって、観測到来時間差（ＯＴＤＯＡ：Observed  Time  Difference  of  Arrival）と呼ばれる補完的な地上測位方法が標準化されている。
【０００４】
ＯＴＤＯＡによれば、端末は、複数の個別のロケーションから受信されるダウンリンクリファレンス信号についてのタイミング差を測定する。測定される各隣接セルについて、ユーザ端末は、リファレンス信号時間差（ＲＳＴＤ：Reference  Signal  Time  Difference）を測定する。ＲＳＴＤは、隣接セルと参照セルとの間の相対的なタイミング差である。ユーザ端末の位置推定値は、測定される複数のＲＳＴＤに対応する双曲線の交点として取得され得る。良好なジオメトリを有する地理的に分散される基地局からの少なくとも３つの測定結果が、ユーザ端末の２つの座標と受信機クロックバイアスとを求めるために用いられてもよい。位置を求めるために、送信機ロケーション及び送信タイミングオフセットの正確な知識が必要とされる。位置算出は、例えば、ＬＴＥにおけるＥ−ＳＭＬＣ（Evolved  Serving  Mobile  Location  Centre）といったポジショニングサーバ、又は、ユーザ端末によって行われ得る。前者のアプローチは、端末支援型ポジショニングモードに対応する一方、後者は、端末ベースのポジショニングモードに対応する。
【０００５】
ＬＴＥにおける測位を可能とし、充分な数の個別のロケーションについての適切な品質の測位測定（positioning  measurements）を容易にするために、例えば測位リファレンス信号（ＰＲＳ：Positioning  Reference  Signals）といった新たな物理的信号が導入され、低干渉測位サブフレーム（low-interference  positioning  subframes）が３ＧＰＰにおいて仕様化されている。
【０００６】
ＰＲＳは、所定のパターンに従って、１つのアンテナポート（Ｒ６）から送信される。物理セル識別子（ＰＣＩ：Physical  Cell  Identity）の関数である周波数シフトは、特定のＰＲＳパターンに適用されて直交パターンを生成し、６つの周波数の効果的な再利用をモデリングしてよく、これにより、測定されるＰＲＳへの隣接セル干渉を低減することが可能となり、従って、測位測定結果を改善することが可能となる。ＰＲＳは測位測定結果のために特別に設計されており、ＰＲＳは一般に他のリファレンス信号よりも良好な信号品質を有することが期待され得るが、標準はＰＲＳを用いることを義務付けてはいない。他のリファレンス信号、例えばセル固有リファレンス信号（ＣＲＳ：Cell-specific  Reference  Signals）も、原理上、測位測定に用いられ得る。
【０００７】
ＯＴＤＯＡ測位のためには複数の個別のロケーションからのＰＲＳ信号が測定される必要があるので、ユーザ機器受信機は、サービングセルから受信されるＰＲＳよりもずっと弱いＰＲＳを扱わなければならないことがある。さらに、測定される信号が時間内のいつ到来するはずなのか、及び正確なＰＲＳパターンは何であるかのおおよその知識が無ければ、ユーザ端末は、大きなウィンドウ内で信号サーチをする必要があるであろう。当該ウィンドウは、測定の精度及び時間、並びにユーザ端末の複雑度に影響を及ぼすであろう。ユーザ端末測定を容易にするために、ネットワークは、ユーザ端末に支援データ（assistance  data）を送信する。支援データは、特に、ＰＣＩを含む隣接セルリスト、連続するダウンリンクサブフレームの数、ＰＲＳ送信帯域幅等を含む。
【０００８】
位置算出を容易にし、測位測定結果（positioning  measurements）の品質を推定するために、ＬＴＥにおいてはＲＳＴＤである、測位測定のための何らかの品質メトリック（quality  metric）は、有利となり得る。推定される品質は、この情報を用いるネットワーク要素に送られ得る。これは、例えばユーザ端末支援型測位（user  terminal-assisted  positioning）の場合、ネットワークにおける測位ノードであってもよい。測位ノードは、ＬＴＥにおいて、例えば、Ｅ−ＳＭＬＣ及び／又はユーザプレーン測位ノードＳＵＰＬロケーションプラットフォーム（ＳＬＰ：SUPL  Location  Platform）、何らかの他のシステムにおける無線ネットワークコントローラ（ＲＮＣ：Radio  Network  Controller）又は基地局等を含んでもよい。ただし、推定される品質は、例えば端末ベースの測位の場合、端末に送られ、又は、端末によって求められ及び用いられてもよい。
【０００９】
測定結果の標準偏差を測定結果の品質メトリックとして用いることは、研究文献においてよく見られる。これも、例えばユニバーサル地上無線アクセス（ＵＴＲＡ：Universal  Terrestrial  Radio  Access）といった他のシステムについて標準化されている。ただし、ＵＴＲＡにおけるＯＴＤＯＡのような測位方法は、実際のネットワークにおいてはまだ用いられていない。さらに、このアプローチには、後述される幾つかの実用上の問題がある。このことは、別のアプローチへのニーズを明らかにし、開示される解決法の重要性への興味を起こさせる。
【００１０】
[３ＧＰＰ  ＴＳ  ２５．３３１]においてＵＴＲＡについて標準化されているように、参照セル及び測定される隣接セルを含む複数のセルにおける測定されるセルの各々について、ユーザ端末は、例えば表１に示される情報を含む「ユーザ端末測位ＯＴＤＯＡ品質」情報を取得する。
【００１１】
【表１】
2013520922.tif 000003
表１．ＵＴＲＡにおけるユーザ機器測位ＯＴＤＯＡ品質
【００１２】
ＬＴＥにおけるＯＴＤＯＡ測定結果品質及びそのためのシグナリング手段は、３ＧＰＰにおいて現在活発な議論がなされている。３ＧＰＰ  ＴＳ  ３６．３５５；Ｅ−ＵＴＲＡ；ＬＴＥ測位プロトコル（ＬＰＰ：LTE  Positioning  Protocol）において、ＲＳＴＤ品質メトリックの詳細はまだ明記されていない。
【００１３】
提案のうちの１つは、「std  Resolution」パラメータ定義に軽微な変更を加えてＵＴＲＡの仕様をＥ−ＵＴＲＡＮに採用し、以下の分解能の値：５メートル、１０メートル、２０メートル、及び３０メートルを可能とすることであった。別の提案は、絶対品質検査を用いず、チャネル品質インジケータ（ＣＱＩ：Channel  Quality  Indicator）レポーティングを検査するために用いられる方法を適用すること、即ち、所与の、例えば固定された条件において、レポートされる中央値を判定し、充分な量のレポートが所定の範囲内におさまると判定することである。標準偏差は、実際には品質メトリックとしてあまり適当ではないことが観測されている。なぜなら、標準偏差は直接測定され得ないからである。そのため、ＬＴＥ  Ｒｅｌ．９からそのシグナリングのための手段を除去することが提案されている。
【００１４】
以前から存在する解決法は、以下の３つのグループに分け得る：
１）品質メトリックを用いない（drop）解決法；
２）測定結果の絶対的な品質ではなく、レポートの品質を反映する相対的な品質メトリックを用いる解決法；及び
３）測定結果標準偏差を品質メトリックとして用いる解決法。
【００１５】
品質メトリックを用いない解決法は、以下の理由により適切ではない：
【００１６】
１）測位においては、例えば、ＦＣＣ要件によって、又は、測位サービス品質を確保する場合、概して推定される必要があるのは位置だけではなく、位置推定の不確かさ（uncertainty）も提供される必要があり、ＲＳＴＤ測定結果品質は、双方、即ち、位置推定及びその不確かさについて必要である。
【００１７】
２）ネットワークは、ユーザ端末によってレポートされる信頼できない測定結果を選別し、位置算出に含めるための最良のジオメトリを有するセルの組み合わせを選択してユーザ端末についてのより良い位置推定を達成するために何らかの情報を必要とする。
【００１８】
相対的な品質メトリックを用いる解決法も、少なくとも以下の理由により適切ではない。
【００１９】
１）ユーザ端末測位レポートは、所定のフォーマットに従わなければならない。これは、ＣＱＩタイプのレポート品質検査では不可能になるであろう。なぜなら、ＲＳＴＤ誤差の絶対指標（absolute  measure）は、位置誤差を絶対単位で推定するために必要だからである。
【００２０】
２）所定のフォーマット及び位置推定の絶対指標もＦＣＣによって要求される。
【００２１】
３）絶対的な不確かさの情報を有するフォーマットのみがＱｏＳ（Quality  of  Service）を与えられ得る。
【００２２】
４）レポートされるＲＳＴＤ品質は、例えばネットワークによって位置算出に含めるための適当なセルのセットを選択するために用いられるべきである。ここで、基準の１つは、ＲＳＴＤの絶対的品質の指標（measure）である。ＲＳＴＤの絶対的品質の指標は、より大きな相対誤差を有するセルをその絶対値が依然として容認可能である場合に選択することを可能にする。
【００２３】
測定結果標準偏差を品質メトリックとして用いる解決法は、少なくとも以下の実際的な問題を有する。
【００２４】
１）測定結果の任意の統計的な特性評価（characterization）のために、サンプルセットのサイズは充分に大きくなければならない。これは、例えば大きな周期性に起因して、ＰＲＳについて達成することは困難となり得る。
【００２５】
２）標準偏差は、その期待値周辺の確率変数の偏差を特徴付けるので、レポートされる測定結果が代数平均ではなく、例えば移動平均である場合、メトリックはあまりうまく適さない。
【００２６】
そのため、測位のためにタイミング信号を測定する場合の改善、並びに、そのような測定結果に関する不確かさ及び誤差を低減することへの要望及びニーズが、ますます高まっている。
【発明の概要】
【発明が解決しようとする課題】
【００２７】
従って、前述された不都合のうちの少なくとも幾つかを取り除き、無線通信ネットワークにおけるパフォーマンスを改善するためのメカニズムを提供することが目的である。
【課題を解決するための手段】
【００２８】
第１の観点によれば、上記目的は、時間ベースの測定結果の品質推定を可能にするための第１のネットワークノードにおける方法によって達成される。第１のネットワークノードと第２のネットワークノードとは、無線通信ネットワークに備えられる。方法は、第２のネットワークノードから受信される信号に基づいてタイミング測定を実行することを含む。さらに、方法は、第２のネットワークノードから受信される信号についてのチャネル特性の値を判定することを含む。また、加えて、方法は、タイミング測定結果の品質推定が可能になるように、チャネル特性の判定される前記値をタイミング測定結果に関連付けることを含む。
【００２９】
第２の観点によれば、上記目的は、時間ベースの測定結果の品質推定を可能にするために構成される第１のネットワークノードによって達成される。第１のネットワークノードと第２のネットワークノードとは、無線通信ネットワークに備えられる。第１のネットワークノードは、プロセッサを備える。プロセッサは、第２のネットワークノードから受信される信号に基づいてタイミング測定を実行するように構成される。さらに、プロセッサは、第２のネットワークノードから受信される信号についてのチャネル特性の値を判定するように構成される。また、プロセッサは、タイミング測定結果の品質推定が可能になるように、チャネル特性の判定される値をタイミング測定結果に関連付けるように構成される。
【００３０】
第３の観点によれば、上記目的は、測位ノードにおける方法によって達成される。方法は、時間ベースの測定結果の品質推定を可能にすることを目指す。測位ノードと第１のネットワークノードとは、無線通信ネットワークに備えられる。方法は、タイミング測定結果及び関連付けられるチャネル特性値及び／又は品質メトリック値を第１のネットワークノードから受信することを含む。これにより、受信されるタイミング測定結果及び関連付けられるチャネル特性値及び／又は品質メトリック値に基づいて、第１のネットワークノードの測位が可能になる。
【００３１】
第４の観点によれば、上記目的は、測位ノードによって達成される。測位ノードは、時間ベースの測定結果の品質推定を可能にするために構成される。測位ノードと第１のネットワークノードとは、無線通信ネットワークに備えられる。測位ノードは、論理リンク又は直接無線リンク若しくは有線リンクを介して受信するように構成される受信機を備える。受信機は、タイミング測定結果並びに関連付けられるチャネル特性値及び／又は品質メトリック値を、第１のネットワークノードから受信するようにさらに構成される。これにより、受信される前記タイミング測定結果並びに関連付けられるチャネル特性値及び／又は品質メトリック値に基づいて、第１のネットワークノードの測位が可能になる。
【００３２】
第５の観点によれば、上記目的は、品質メトリック値がタイミング測定結果に関連付けられ得るように、チャネル特性の値を品質メトリック値に関連させることによって品質関数を取得するための、無線通信ネットワークにおけるモジュールにおける方法によって達成される。例えばシミュレーション若しくは試験台によってオフライン手法で、又は、例えばライブネットワークにおいて統計値を収集することによってオンライン手法で、品質関数は取得され得る。方法は、第２のネットワークノードによって送信される信号について第１のネットワークノードによってタイミング測定結果を取得することと、タイミング測定結果誤差と、取得されるタイミング測定結果各々についてチャネル特性値とを取得することとを含む。タイミング測定結果は、例えば、到来時間測定結果又はＲＳＴＤであってもよい。ＲＳＴＤは、単一の測定結果であっても、又は、２つの到来時間測定結果から取得されてもよい。方法は、対応するタイミング測定結果と参照タイミング指標とを比較することによって、タイミング測定結果誤差を取得することをさらに含む。ここで、参照タイミング指標は、例えば、送信ノード及び受信ノード、即ち第１のノード及び第２のノードについての距離指標の線形関数として取得され得る。距離指標は、例えば対応するタイミング測定結果が到来時間である場合、第１のノードと第２のノードとの間の距離であり得る。対応するタイミング測定結果が例えばＲＳＴＤである場合、距離指標は、２つの距離、即ち、第１のノードと第２のノードとの間の距離及び／又は第１のノードと別の第２のノードとの間の距離の差も含み得る。距離指標は、例えばＧＰＳ受信機によって取得され得る。方法は、チャネル特性を対応するタイミング測定結果に関連付けることと、チャネル特性とタイミング測定結果誤差との間の関係を反映する関数として品質メトリックを定義することとをさらに含む。ここで、関数は、例えば、数学関数、所定のマッピング、又は体系的にテーブル化される値のセットであってもよい。
【００３３】
第６の観点によれば、上記目的は、チャネル特性の値を品質メトリック値に関連させることによって品質関数を取得するための、無線通信ネットワークにおけるモジュールによって達成される。これらの値は、タイミング測定結果に関連付けられる。モジュールは、プロセッサを備える。プロセッサは、第２のネットワークノードから受信される信号について参照タイミング指標を取得するように構成される。さらに、プロセッサは、第２のネットワークノードによって送信される信号について第１のネットワークノードによってタイミング測定結果を取得するようにも構成される。また、プロセッサは、参照タイミング指標と取得されるタイミング測定結果との間の差に基づいて、取得されるタイミング測定結果ごとに、タイミング測定結果誤差とチャネル特性の少なくとも１つの値とを算出するようにさらに構成される。さらに、プロセッサは、チャネル特性を対応するタイミング測定結果に関連付け、チャネル特性とタイミング測定結果誤差との間の関係を反映する品質メトリックを定義するようにも構成される。
【００３４】
ここで、任意のネットワークノード間の接続は、例えば１つ以上のネットワークノードを介した上位層プロトコルを介した接続といった論理的な接続、又は、例えば配線を介した直接接続といった物理的な接続を含んでもよい。
【００３５】
本開示において説明される方法及び装置の実施形態は、ダウンリンク信号又はアップリンク信号のいずれに実行されるタイミング測定にも適用される。
【００３６】
本方法の実施形態は、本明細書に開示されるタイミングベースの測定結果の新たな品質メトリックにより、端末位置を推定する場合に、低減された不確かさ及び誤差を提供する。
【００３７】
さらに、本方法の実施形態は、相関器の出力を品質メトリックにマッピングする単純で簡単な二方向テスト（two-way  test）を提供する。これにより、測位測定処理の動的最適化が容易になり、改善された測位ＱｏＳをもたらす。従って、無線ネットワークにおける測位のパフォーマンスが改善される。
【００３８】
幾つかの実施形態によれば、第１のネットワークノードは、複数の信号を複数の個別の第２のネットワークノードから受信し得る。ただし、これらの信号のうちの幾つかは、歪められ、遮られ、反射され、及びマルチパスを経由して受信され、並びに／又は、他の信号によって干渉されることがあるため、これらの信号を測位算出の基礎として用いる場合には信用できないことがある。本方法の実施形態により、最も信頼できないタイミング測定結果は位置を算出する場合に無視され、又は、より低い重み（weight）を与えられるので、測位はより高い精度で実行され得る。これにより、無線通信ネットワークにおける改善されたパフォーマンスが達成される。
【００３９】
他の目的、利点、及び新規な特徴は、以下の詳細な説明から明らかになるであろう。
【図面の簡単な説明】
【００４０】
本解決法の実施形態は、例示的な実施形態を図示する添付の図面を参照しつつ、より詳細に説明される。
【００４１】
【図１Ａ】幾つかの実施形態に係る無線通信ネットワークを図示する概略ブロック図である。
【図１Ｂ】幾つかの実施形態に係る無線通信ネットワークを図示する概略ブロック図である。
【図２Ａ】本解決法の一実施形態を図示する結合されたフローチャート及びブロック図である。
【図２Ｂ】本解決法の一実施形態を図示する結合されたフローチャート及びブロック図である。
【図２Ｃ】本解決法の一実施形態を図示する結合されたフローチャート及びブロック図である。
【図２Ｄ】本解決法の一実施形態を図示する結合されたフローチャート及びブロック図である。
【図３】第１のネットワークノードにおける本方法の一実施形態を図示するフローチャートである。
【図４】幾つかの実施形態に係る第１のネットワークノードを図示する概略ブロック図である。
【図５】測位ノードにおける本方法の一実施形態を図示するフローチャートである。
【図６】幾つかの実施形態に係る測位ノードを図示する概略ブロック図である。
【図７】幾つかの実施形態に係る品質関数を取得するための本方法の一実施形態を図示するフローチャートである。
【図８】幾つかの実施形態に係るモジュールを図示する概略ブロック図である。
【発明を実施するための形態】
【００４２】
本解決法は、第１のネットワークノード、第１のネットワークノードにおける方法、測位ノード、測位ノードにおける方法、無線通信ネットワークにおける品質関数（quality  function）を取得するための方法、当該品質関数を取得するためのモジュール、並びに、位置推定及び測定結果情報のシグナリングを強化するシグナリング装置として定義され、これらは以下に説明される実施形態において実施をされ得る。ただし、この解決法は、多くの異なる形態で具現化されてよく、本明細書に記載される実施形態に限定されるものと見なされるべきではない。むしろ、これらの実施形態は、本開示が漏れなく完全なものとなり、特許請求の範囲を当業者に伝えるように提供される。
【００４３】
図１Ａは、無線通信ネットワーク１００を示しており、無線通信ネットワーク１００は、幾つかの限定されない例を挙げるだけでも、３ＧＰＰ  ＬＴＥ及びＬＴＥアドバンスト（LTE-Advanced）といったその進化型だけでなく、Ｅ−ＵＴＲＡＮ（Evolved  Universal  Terrestrial  Radio  Access  Network）、ＵＭＴＳ（Universal  Mobile  Telecommunications  System）、ＧＳＭ／ＥＤＧＥ（Global  System  for  Mobile  communications/  Enhanced  Data  rate  for  GSM  Evolution）、ＷＣＤＭＡ（Wideband  Code  Division  Multiple  Access）、ＷｉＭａｘ（Worldwide  Interoperability  for  Microwave  Access）、若しくは、ＵＭＢ（Ultra  Mobile  Broadband）といった技術のうちの少なくとも１つに基づき、又は、任意の他の無線通信技術等に従う。
【００４４】
異なる実施形態によれば、無線通信ネットワーク１００は、時分割複信（ＴＤＤ：Time  Division  Duplex）及び／又は周波数分割複信（ＦＤＤ：Frequency  Division  Duplex）の原理に従って動作するように構成されてもよい。
【００４５】
図示される例示的な無線通信ネットワーク１００は、第１のネットワークノード１１０と、第２のネットワークノード１２０−１、１２０−２、１２０−３の３つの個別のインスタンスとを備える。第２のネットワークノード１２０−１、１２０−２、１２０−３は、コアネットワーク１４０を介して測位ノード１３０に接続される。ネットワークノード１１０、１２０−１、１２０−２、１２０−３、１３０の図示される設定は例示にすぎないことに留意すべきである。無線通信ネットワーク１００は、さらなるネットワークノード１１０、１２０−１、１２０−２、１２０−３、１３０を、任意の数及び組み合わせで備えてもよい。
【００４６】
例えば、第１のネットワークノード１１０の瞬間的な位置、ロードバランシング等に応じて、第２のネットワークノード１２０−１、１２０−２、１２０−３の３つの個別のインスタンスのうち、一度に１つだけが、第１のネットワークノード１１０に関してサービングノードとして機能し得る。第１のネットワークノード１１０についてのサービングノードとして機能することは、例えば、制御シグナリング及び第１のネットワークノード１１０への／からのデータトラフィックがサービングノードを介して送信されることを含む。第１のネットワークノード１１０に関してサービングノードとして一時的に機能していない第２のネットワークノード１２０−１、１２０−２、１２０−３の他のインスタンスは、隣接ノードと称され得る。例えば、サービングノードとは異なる複数の第２のネットワークノード１２０−１、１２０−２、１２０−３から受信されるダウンリンクリファレンス信号についてのタイミング差など、タイミング測定（timing  measurements）を実行する場合、サービングノードは参照ノードとして用いられ得る。これにより参照タイミング指標（reference  timing  measure）が提供され得る。測定される隣接ノード各々について、第１のネットワークノード１１０は、リファレンス信号時間差（ＲＳＴＤ）を測定し得る。ＲＳＴＤは、測定される隣接ノードと参照ノードとの間の相対的なタイミング差である。
【００４７】
ただし、幾つかの実施形態によれば、サービングノードとして一時的に機能していない第２のネットワークノード１２０−１、１２０−２、１２０−３のいずれかが参照ノードとして選択されてもよい。
【００４８】
詳細な説明においては、ノードごとに単一のセルが仮定される。ただし、当業者は、ノードが１つよりも多いセルを担当してもよいことを理解し、ここで、セルとはあるカバレッジエリアを指す。また、当業者は、セル又は複数のセルを有し得るノードが文中において意味される実施形態を、区別できるべきである。
【００４９】
第１のネットワークノード１１０は、例えば、無線通信端末、ユーザ機器（ＵＥ：user  equipment）、移動局、携帯電話、ＰＤＡ（Personal  Digital  Assistant）、無線プラットフォーム、ラップトップコンピュータ、ビーコン、コンピュータ、又は、第２のネットワークノード１２０と無線で通信するように構成され、及び／若しくは品質測定基準を算出するためのプロセッサを備える任意の他の種類の装置によって表されてもよい。
【００５０】
第２のネットワークノード１２０−１、１２０−２、１２０−３は、例えば、用いられる無線アクセス技術及び専門用語に応じて、例えば、基地局、無線基地局（ＲＢＳｓ：Radio  Base  Stations）、マクロ基地局、ノードＢ、進化型ノードＢ（ｅＮＢｓ、又はｅＮｏｄｅ  Ｂｓ）、基地送受信局、アクセスポイント基地局、基地局ルータ、マイクロ基地局、ピコ基地局、フェムト基地局、ホームｅＮｏｄｅＢ、中継装置及び／若しくはリピータ、センサ、ビーコン装置、又は、無線インタフェースを介した通信若しくは信号送信のために構成される任意の他のネットワークノードによって表されてもよい。
【００５１】
ただし、図１Ｂに図示される幾つかの実施形態によれば、第１のネットワークノード１１０は、例えば、用いられる無線アクセス技術及び専門用語に応じて、例えば、基地局、無線基地局（ＲＢＳ）、マクロ基地局、ノードＢ、進化型ノードＢ（ｅＮＢ、又はｅＮｏｄｅ  Ｂ）、基地送受信局、アクセスポイント基地局、基地局ルータ、マイクロ基地局、ピコ基地局、フェムト基地局、ホームｅノードＢ、中継装置及び／若しくはリピータ、センサ、ビーコン装置、又は、無線インタフェースを介した無線通信のために構成される任意の他の無線ノードによって表されてもよい。本開示の後続部分において、「第１のネットワークノード」という用語は、本実施形態の理解を容易にするために、第１のネットワークノード１１０について用いられるであろう。
【００５２】
さらに、図１Ｂに図示される幾つかの実施形態によれば、第２のネットワークノード１２０−１、１２０−２、１２０−３は、例えば、無線通信端末、ユーザ機器（ＵＥ）、移動局、携帯電話、ＰＤＡ、無線プラットフォーム、ラップトップコンピュータ、コンピュータ、小型基地局、又は、無線通信ネットワーク１００内において無線で通信するように構成される任意の他の種類の装置によって表されてもよい。本開示の後続部分において、「第２のネットワークノード」という用語は、本実施形態の理解を容易にするために、第２のネットワークノード１２０について用いられるであろう。
【００５３】
本明細書で説明される解決法は、特にＬＴＥネットワークに関して詳述される。従って、理解及び読みやすさを向上させるために、無線通信ネットワーク１００は、本開示の残りの部分を通してＬＴＥシステムとして説明される。ただし、対応する概念は、例えば上記に列挙したものといった他の無線アクセス技術に基づく他の無線ネットワーク１００にも適用され得る。
【００５４】
このように、無線通信ネットワーク１００は、複数のネットワークノード１１０、１２０、１３０を用いる情報の送信／受信を可能にする。第１のネットワークノード１１０がユーザ機器を含み、第２のネットワークノード１２０が基地局を含む場合、「ダウンリンク」（ＤＬ）という表現は、本文脈において、第２のネットワークノード１２０から第１のネットワークノード１１０への送信を特定するために用いられる一方、「アップリンク」（ＵＬ）という表現は、第１のネットワークノード１１０から第２のネットワークノード１２０への送信を表すために用いられる。
【００５５】
測位ノード１３０は、幾つかの実施形態によれば、測位サーバ、サービングモバイルロケーションセンタ（ＳＭＬＣ：Serving  Mobile  Location  Centre）、進化型ＳＭＬＣ（Ｅ−ＳＭＬＣ：evolved  SMLC）、又は、同様のネットワークノード及び／若しくは装置によって表されてもよい。
【００５６】
少なくとも１つの実施形態において、測位ノード１３０は、コアネットワークノードを含み得る。別の限定されない実施形態において、測位機能、及び従って測位ノード１３０は、第１のネットワークノード１１０に備えられてもよい。即ち、第１のネットワークノード１１０が、例えばユーザ機器ベースの測位に対応するそれ自身の測位を実行するように構成される端末を含む場合、測位機能、及び従って測位ノード１３０は、端末に備えられてもよい。また別の実施形態において、第１のネットワークノード１１０、即ち、端末は、それ自身の測位を要求してもよく、従って、要求ノードは、端末内に備えられるエンティティである。本明細書における「端末」は、測位されつつあるノード又は装置を指す限定されない専門用語として理解されるべきである。
【００５７】
例えば、測位推定、測定処理の最適化／チューニング、及びサービス品質（ＱｏＳ）の確保のために測定結果の品質推定を用いる場合、第１のネットワーク１１０及び第２のネットワークノード１２０の双方が恩恵を受け得る測定結果の品質推定を容易にするために、例示的な実施形態は、例えば測位のために用いられるＲＳＴＤ測定結果といったタイミング測定結果（timing  measurements）又はタイミングベースの測定結果（timing-based  measurements）の品質と、遅延スプレッドといったチャネル特性とに関する。タイミングベースの測定結果、タイミング測定結果、測位ＲＳＴＤ測定結果、及び／又はＲＳＴＤという表現は、本開示において多少並行して用いられることに留意すべきである。
【００５８】
本解決法の実施形態は、以下の観点の１つ以上を含み得る：
【００５９】
１）タイミング測定結果の品質メトリックを定義すること。タイミング測定結果は、例えば所与の信頼水準（confidence  level）におけるレポートされるＲＳＴＤの不確かさ及びＲＳＴＤを含んでもよく、これにより、不確かさがチャネルの少なくとも幾つかの特性に関連する；
【００６０】
２）品質メトリックとチャネル特性との間の関係を導き出すための方法は、通信チャネルのチャネル遅延スプレッド、測定される信号品質若しくは受信される信号強度、又は、リファレンス信号の相関情報のうちの少なくとも１つに基づき、当該相関情報は、例えば相関器において測定され、値ｐ（タウｉ）のシーケンスによって与えられる、受信エネルギーの量として定義される。ここで、ｉは、選択されるピークを囲むインデックスのセット[−Ｉｍａｘ，．．．，＋Ｉｍａｘ]からの相対インデックス（relative  index）である。
【００６１】
３）タイミング測定結果の品質メトリックとチャネル特性との間の関係を構築するオンライン方法及びオフライン方法；
【００６２】
４）チャネル特性と信頼水準とをタイミング測定結果の品質メトリック値にマッピングすることによってタイミング測定結果の品質を推定するために、過去に確立された関係を用いること；
【００６３】
５）タイミング測定結果についての品質メトリック及び位置推定における信頼水準情報を用いて、測位ＱｏＳを強化すること；
【００６４】
６）測位測定結果の精度を改善し又は測位測定を容易にするために、信頼水準情報及びタイミング測定結果の品質メトリックを用いること；
【００６５】
７）信頼水準情報及びタイミング測定結果の品質を要求し／レポートするためのシグナリング装置を定義すること；
【００６６】
本解決法の例示的な実施形態は、タイミング測定結果の品質を判定する方法を含み得る。１つの例示的な実施形態は、例えば第２のネットワークノード１２０からのリファレンス信号といった、通信チャネルを介して第１のネットワークノード１１０において受信される信号の到来の時間を測定することと；当該通信チャネルのチャネル特性に基づいて、測定される到来時間についての品質メトリックを判定することとを含み得る。
【００６７】
幾つかの実施形態において、品質メトリックは、所与の信頼水準において測定される到来時間の不確かさを含んでもよい。
【００６８】
幾つかの実施形態において、品質メトリックは、通信チャネルの測定される遅延スプレッドに基づいて判定されてもよい。
【００６９】
幾つかの実施形態において、信号の測定される遅延スプレッドは、信号の相関ピークに基づいて推定されてもよい。
【００７０】
幾つかの実施形態において、品質メトリックは、品質メトリックを遅延スプレッドに関連させる品質関数に基づいて判定されてもよい。このような品質関数は、例えば多項式関数、線形関数、指数関数によって近似され（approximated）てもよい。さらに、幾つかの実施形態によれば、１つ以上の信頼水準についての品質関数は、メモリにおいてルックアップテーブルとして記憶されてもよい。
【００７１】
幾つかの実施形態において、測定される遅延スプレッドは、受信機フィルタの存在を計算に入れて補償されてもよい。
【００７２】
幾つかの実施形態において、例えば受信される信号の到来時間といった、実行されるタイミング測定結果及び品質メトリックは、例えばユーザ端末、基地局、又は測位されつつある任意の他のネットワークノードといった、第１のネットワークノード１１０の位置を算出するために用いられてもよい。
【００７３】
本解決法の他の実施形態は、通信チャネルのチャネル特性に基づいて測位リファレンス信号の測定される到来時間についての品質メトリックを判定するように構成される第１のネットワークノード１１０を含んでもよく、当該測位リファレンス信号は、第２のネットワークノード１２０から受信され得る。
【００７４】
品質メトリックは、ある信頼水準におけるタイミング測定結果の不確かさとして定義され得る。タイミング測定結果の品質は、例えばＰＲＳ構成といった測定される信号の構成、チャネル特性、受信機特性、例えば連続測定／並行測定／グループパラレル測定（sequential/parallel/group-parallel  measurement）といった第１のネットワークノード１１０の測定構成（measurement  configuration）、測定帯域幅、積分時間等を含む多くの要因によって決まる。前述の要因のうちの少なくとも最も重要なものに対するタイミング測定結果誤差の系統的な関係を関数として発見しようとすることは、退屈な作業である。そのため、これらの要因をまとめて説明する指標を検討することは、より実際的なアプローチであり得る。タイミングベースの測定結果は相関器出力に基づくため、問題に対して取り得る１つの解決法は、例えば観測される相関ピークの幾つかの特性といった取得される相関器出力とタイミング測定結果誤差との間の関係を発見することであってもよい。これは、信号を検出し、マルチパスに対処するための受信機能力を反映し得る。
【００７５】
これにより、レポートの品質及びタイミング測定結果の絶対的品質を反映する絶対的品質メトリックが提供され得る。本開示の後続部分においてさらに詳細に説明されるように、本解決法によれば、絶対的品質メトリックは、非常に驚くべき方法において、タイミング測定結果及びタイミング測定結果を用いる測位を改善するために用いられ得る。
【００７６】
その伝統的な定義において、二乗平均平方根（ＲＭＳ：Root  Mean  Square）遅延スプレッドは、反射の遅延の標準偏差値であり、反射波におけるエネルギーに比例して加重され、遅延スプレッドは、受信機パフォーマンスから分離されるチャネル特性として理解されてもよい。本解決法の実施形態において、第１のネットワークノード１１０の測定構成、信号特性、受信機特性等も考慮するために、信号遅延スプレッドの概念は、相関器出力に適合され得る。特に、例えばＲＳＴＤ誤差といったタイミング測定結果誤差と、測定されるタイミングを時間軸上で囲むサンプル群にわたるＲＭＳ遅延分散τＲＭＳとの間の関係が、研究され得る。
【００７７】
測定されるタイミングと、これに最も近い検出される相関電力ピークとを検討する。ピークはゼロ点に中心が置かれると仮定する。相対インデックスの範囲Ｉは、ピークに対して、Ｉ＝[−Ｉｍａｘ，−（Ｉｍａｘ−１），．．．，０，．．．，（Ｉｍａｘ−１），Ｉｍａｘ]となるように定義され得る。ここで、Ｉの要素は、中央ピークに対するサンプルのインデックスである。
【００７８】
ＲＭＳ相関電力ピーク遅延スプレッドは、以下の通りである：
【００７９】
【数１】
2013520922.tif 000004
【００８０】
ここで、τｉは、サンプルｉのタイミングであり、ｐ（τｉ）は、相関器において測定される受信エネルギーの量であって、重み付け係数の役割を果たし、τ￣（ｘ￣はｘの上に記号￣があるものとする）は、第１の相関ピークの推定されるタイミングであり、これは、サンプルポイントであっても、又は、幾つかの実施形態によれば、例えば重心を得ることによって、２つの隣接するサンプルポイント間の補間によって取得されてもよい。τＲＭＳは、例えばサービングノード、参照ノード、又は隣接ノードといった任意の測定される第２のネットワークノードについて定義され得る。
【００８１】
所与のτＲＭＳについて、タイミング測定結果誤差が取得され得ると仮定されてもよい。タイミング測定結果がＲＳＴＤである場合、タイミング測定結果は、
【００８２】
【数２】
2013520922.tif 000005
【００８３】
として定義され得る。ここで、参照ノードは第２のネットワークノード１２０であり、これに対して所与の他の第２のネットワークノード１２０のタイミング測定結果が測定される。従って、タイミング測定結果誤差は、タイミング指標（timing  measure）と参照タイミング指標との差として定義され得る。参照ノードは、信号品質及び第１のネットワークノード１１０への距離の観点から多くの場合最良であるサービングノードであってもよい。ただし、サービングノードは、例えば閉じられた加入者グループを有する無線ネットワーク１００においては、信号品質及び第１のネットワークノード１１０への距離の観点から必ずしも最良とは限らない。所与のτＲＭＳについて、タイミング測定結果の品質は、実質的に以下により与えられるタイミング測定結果誤差であってもよい：
【００８４】
【数３】
2013520922.tif 000006
【００８５】
ここで、Δｉｄｅａｌ＝ｔ−ｔｒｅｆｅｒｅｎｃｅ＿ｃｅｌｌであり、ｔ及びｔｒｅｆｅｒｅｎｃｅ＿ｃｅｌｌはそれぞれ、理想的なチャネル知識を仮定した場合、測定されるネットワークノード及び参照ノードについて最初に検出されるピークタイミングである。参照セルの信号品質があまり良好ではない場合、参照セルについてのチャネル品質も考慮されてもよいことが理解されるべきである。なぜなら、ＲＳＴＤ測定結果においては、ＴｏＡ測定結果とは異なり、例えば２つのチャネルといった２つのセルとのリンクが関与するためである。この場合、２つの誤差が品質関数において明示的に用いられるか、又は単一の値τＲＭＳが用いられ、τＲＭＳには優勢な誤差（dominating  error）が算入されてもよく、又は、τＲＭＳは例えば次のような関与するチャネルについて統計的に結合されるメトリックとして算出されてもよい。
【００８６】
【数４】
2013520922.tif 000007
【００８７】
参照ノードについて、タイミング測定結果の品質は以下によって与えられることに留意されたい：
【００８８】
【数５】
2013520922.tif 000008
【００８９】
本解決法の一実施形態において、τＲＭＳは、サンプリングフィルタについて補償されてもよい。実際には、受信機フィルタに起因して、１タップチャネルでさえゼロではないτＲＭＳを与え得ることにさらに留意し得る。従って、この事実にとって、τＲＭＳとタイミング測定結果の品質との間のよりよい適合（match）を達成するために、何らかの補償は有利となり得る。これについて、サンプリングフィルタをデコンボリューションし（deconvolve）てもよい。シンクフィルタ（sinc  filter）の場合、τＲＭＳ＿ｃｏｍｐｅｎｓａｔｅｄにより表される補償されたＲＭＳ相関電力ピーク遅延スプレッドを、例えば以下のように取得し得る：
【００９０】
【数６】
2013520922.tif 000009
【００９１】
信号処理において、シンクフィルタは、所与の帯域幅を超える周波数成分を除去し、低い周波数のみを残し、及び直線位相を有する理想的なフィルタである。このフィルタのインパルス応答は、時間ドメインにおけるシンク関数であり、その周波数応答は、矩形関数である。
【００９２】
一実施形態において、信頼水準が与えられる場合、遅延スプレッドとタイミング測定結果誤差との間の関係は、多項式関数によって近似されてもよい。多項式関数は、例えば、シミュレーションされる結果又は測定される結果にフィットさせることによって得られてもよい。関数は、タイミング測定結果の品質関数、又はＲＳＴＤ品質関数とさらに称されてもよい。異なる信頼水準は、異なるタイミング測定結果の品質関数を有し得る。本解決法の一実施形態において、タイミング測定結果の品質関数は、線形関数を含んでもよい。タイミング測定結果の品質関数は、本開示においてさらに後述されるように、例えば明示的な形で、又は、マッピングの形で与えられてもよい。
【００９３】
幾つかの実施形態によれば、相関、例えば、品質関数となんらかの因子との強い相関が観測される場合、例えば、ローカルエリア又は幾つかの特定の状況における特定のチャネルの振る舞いを特徴とする環境タイプ、測定帯域幅、第１のネットワークノード１１０のケイパビリティ、送信及び／又は受信ノードタイプ等といった、そのような因子を付加的な入力として考慮して、関数はさらにより具体的に定義されてもよい。
【００９４】
何らかの統計的な演算が複数の測定結果に適用されて、１つの統合された指標（aggregate  measure）、例えば、伝統的な代数平均値又は移動平均値が得られる場合、タイミング測定結果の複数の値も利用可能である。この場合、本解決法の一実施形態において、同じ統計演算は、対応する推定されるタイミング測定結果誤差に適用されてもよい。
【００９５】
タイミング測定結果の品質メトリックは、当該メトリックが少なくとも幾つかのチャネル特性に関連するように、特定の信頼水準におけるタイミング測定結果の不確かさとして定義され得る。タイミング測定結果の品質メトリックと相関ピーク遅延スプレッドとの間の関係を導き出すための方法も、何らかの他の付加的な入力パラメータを有してもよい。ここで、当該関係は正式な形においてタイミング測定結果の品質関数とさらに称されてもよい。
【００９６】
その関係における適合を改善するために、受信機フィルタに起因して１タップチャネルがゼロではないτＲＭＳを与えるであろうという事実についてＲＭＳ相関ピーク遅延スプレッドはさらに補償されてもよい。
【００９７】
補償される相関ピーク遅延スプレッドＲＭＳ、即ち、τＲＭＳ＿ｃｏｍｐｅｎｓａｔｅｄを導き出すためのアプローチが提案される。
【００９８】
所与の信頼水準について、タイミング測定結果の品質関数は多項式関数であってもよい。ただし、所与の信頼水準について、タイミング測定結果の品質関数は線形関数であってもよい。
【００９９】
タイミング測定結果の品質関数は、利用可能な測定の結果をフィットさせることによって得られてもよい。複数のタイミング測定結果の場合、同じ統計演算を適用して、単一の統合されたタイミング測定結果及び単一の統合された推定されるタイミング測定結果誤差を取得する一方で、所定の多項式関数を用いて、各タイミング測定結果誤差の推定値を取得してもよい。
【０１００】
一実施形態において、ＬＴＥ到来時間差（ＴＤＯＡ：Time  Difference  of  Arrival）についてのタイミングの補間は、相関器の後の２つの周囲のサンプルポイントにおいて受信エネルギーの重心を算出することによって取得され得る。即ち、
【０１０１】
【数７】
2013520922.tif 000010
【０１０２】
ここで、ｊ０は、受信最大エネルギーを有するサンプルインデックスであり、ＴＳは、サンプリングステップであり、ｐ（ｊ０＋ｊ）は、相関器の後のサンプルｊ０＋ｊにおける受信エネルギーである。
【０１０３】
タイミング測定結果の品質関数は、オンライン又はオフラインで取得され得る。例えばトレーニング期間に、例えばＧＰＳ受信機を装備する、地理的な位置が既知である第１のネットワークノード１１０からの統計値を収集し及び用いることによって、実際の無線通信ネットワーク１００においてオンラインフィッティングが行われてもよい。オフラインフィッティングは、例えばシミュレーション又はテスト測定によって取得されてもよい。オンラインフィッティングによれば、関数パラメータは、無線通信ネットワーク１００によって定義され得る。一方、オフラインフィッティングによれば、関数パラメータは、オフラインで取得され、次いで、無線通信ネットワーク１００において設定されるか、又は、幾つかオプションを挙げると、例えば第１のネットワークノード１１０、第２のネットワークノード１２０、測位ノード１３０、ユーザ機器若しくはｅＮＢといったネットワーク要素においてハードコードされ得る。
【０１０４】
従って、タイミング測定結果品質関数は、オンラインアプローチ若しくはオフラインアプローチ、又は、これらのアプローチの組み合わせに従って構築され得る。
【０１０５】
マッピング処理は、タイミング測定結果の品質関数、即ち、タイミング測定結果の品質メトリックと電力ピーク遅延スプレッドとの間の関係を記述する関数が既知であると仮定し得る。当該関数は、ｆ（τＲＭＳ，Ｐ）によって表され、ここで、Ｐは信頼水準である。マッピングは、タイミング測定結果の品質メトリックＲＳＴＤ＿ＱＵＡＬＩＴＹを取得する処理であり、これは以下のように公式化され得る：
【０１０６】
【数８】
2013520922.tif 000011
【０１０７】
多項式の場合、関数は、例えばその係数（ｋ０，ｋ１，Ｋ，ｋｎ）のベクトルによって与えられてもよく、ここで、ｋｉは、ｎ次の項についての一定の係数である。線形関数の場合、ベクトルは２つの要素（ｋ０，ｋ１）のベクトルに帰着し、ｎ＋２個の要素（線形の場合、ｎ＝１）のベクトルによって特定され得るタイミング測定結果の品質関数ｆ（τＲＭＳ，Ｐ）は、以下により与えられる：
【０１０８】
【数９】
2013520922.tif 000012
【０１０９】
これは、ネットワーク要素１１０、１２０、１３０のいずれか、幾つか、又は全てにおいて、ハードコードされ又は設定されてもよい。Ｌ個の信頼水準のセットの場合、対応する関数を記述するＬ個のベクトルのセットが設計される必要がある。この場合、情報は、例えば以下に示されるような行列によって表され得る：
【０１１０】
【数１０】
2013520922.tif 000013
【０１１１】
上記の行列及びτＲＭＳが与えられると、ＲＳＴＤ＿ＱＵＡＬＩＴＹは、任意の信頼水準Ｐｌについて算出され得る。τＲＭＳとＲＳＴＤ＿ＱＵＡＬＩＴＹとの間の関係を特定する別の手法は、サポートされる信頼水準Ｐｌごとに、所与の分解能を有するτＲＭＳの許容される値とＲＳＴＤ＿ＱＵＡＬＩＴＹの対応する値とをテーブル化する（tabulate）ことであり得る。
【０１１２】
本解決法の別の実施形態において、本開示において議論されるタイミング測定結果の品質のマッピングフォーマットは、ＵＴＲＡについて標準化されるタイミング測定結果の品質メトリックフォーマット（表１を参照）に適合される。ここで、タイミング測定結果の不確かさは、タイミング測定結果の標準偏差の代わりに用いられてもよく、測定結果／サンプルの数は、セットＩに含まれるサンプルの数であってもよく、分解能は、信頼水準及び相関ピーク遅延スプレッドに関連する。
【０１１３】
マッピング関数は、サポートされる信頼水準ごとに仕様化されてもよい。異なる実施形態によれば、マッピングは、関数をテーブル化し又は明示的に仕様化することによって与えられてもよい。
【０１１４】
サポートされるτＲＭＳとＰｌとの組み合わせごとに、例えば、第１のネットワークノード１１０、第２のネットワークノード１２０、又は測位ノード１３０といったネットワーク要素の少なくとも幾つかにおいて、マッピングが設定され又はハードコードされてもよい。
【０１１５】
幾つかの実施形態によれば、タイミング測定結果の品質関数は、ＲＳＴＤ標準偏差のＵＴＲＡフォーマットに適合され得る。
【０１１６】
さらに、タイミング測定結果メトリックは、測定処理の最適化及び測位ＱｏＳの強化のために利用され得る。
【０１１７】
異なるユーザは異なるサービスに加入していてもよく、異なる第１のネットワークノード１１０は異なるケイパビリティを有してもよく、異なるロケーションサービス（ＬＣＳ：Location  Services）アプリケーションは異なる測位品質要件を有してもよい。これは、異なる測位ＱｏＳプロファイルという結果になる。タイミング測定結果の品質は、最終的な測位品質に影響を与え、測位測定結果に費やされる時間、例えば測定される帯域幅といった測定設定等を含む多くの要因によって決まり得る。要求されるＱｏＳに測定処理を適合することは、第１のネットワークノード１１０内の実装次第である。これを容易にするために、第１のネットワークノード１１０は、要求される測位品質に対応するであろう何らかの参照ＲＳＴＤ品質を要求してもよく、ある設定により達成され得る又は達成されたＲＳＴＤ品質を推定することが可能となり得る。推定されるＲＳＴＤ品質と参照ＲＳＴＤ品質との比較の結果は、第１のネットワークノード１１０が現在の設定を容認するか、又は、参照ＲＳＴＤ品質にさらに近づくために当該設定を最適化し／チューニングするかを決定するための基礎としての役割を果たし得る。
【０１１８】
必ずしも本開示において説明されるメトリックとは限らないＲＳＴＤ品質情報は、測定パラメータを動的に適合することによって、測位測定処理の動的な最適化のために用いられてもよい。測定パラメータは、例えば、測定帯域幅、測定時間、統合される連続的なサブフレームの数及び／又は測位機会の数、グループ内のネットワークノードについては並列的に、グループ間では逐次的に複数のネットワークノードが測定される場合のセルの再編成（cell  re-grouping）などである。
【０１１９】
幾つかの実施形態によれば、本開示において提案されるＲＳＴＤ品質メトリックは、上記の最適化においてＲＳＴＤ品質情報の一部として用いられ得る。標準化されるＲＳＴＤ精度要件は、上記最適化においてＲＳＴＤ品質情報の一部として用いられ得る。対応する信頼水準を有する又は有しないターゲット／参照ＲＳＴＤ品質メトリックは、ＱｏＳプロファイルに関連付けて定義され得る。ＱｏＳプロファイルも、例えば、クライアントタイプ、サービスタイプ、及び／又は要求される測位ＱｏＳによって、特に特徴付けられ得る。ＱｏＳプロファイルは、例えば第２のネットワークノードにおいて、測位ノード１３０又は移動性管理エンティティ（ＭＭＥ：Mobile  Management  Entity）等において記憶され得る。ターゲット／参照ＲＳＴＤ品質メトリック及び対応する信頼水準は、上記最適化において用いられ得る。
【０１２０】
先行するセクションにおいて、新たなＲＳＴＤ品質メトリックが紹介され、どのようにＲＳＴＤ品質関数が取得され及び利用され得るかが説明された。対応する機能性を無線通信ネットワーク１００においてサポートするために、異なるネットワーク要素１１０、１２０、１３０間で何がシグナリングされ得るかは、測位算出及び測定結果の品質推定がどこでなされるか、及び、どのようにＲＳＴＤ品質情報が第１のネットワークノード１１０及び／又は第２のネットワークノード１２０、又は測位ノード１３０によって利用されるかによって決まる。
【０１２１】
ＲＳＴＤ品質情報を運用する場合、以下に説明されるシグナリングのうちの幾つかが利用され得る：
【０１２２】
第１のネットワークノード１１０から第２のネットワークノード１２０又は測位ノード１３０にシグナリングされる電力ピーク遅延スプレッドそれ自体といった相関情報、又はそれを導き出すための根拠（basis）。
【０１２３】
信頼水準情報が既知である場合、第１のネットワークノード１１０から第２のネットワークノード１２０又は測位ノード１３０にシグナリングされる、信頼水準情報を有しないＲＳＴＤ＿ＱＵＡＬＩＴＹ。
【０１２４】
第１のネットワークノード１１０から第２のネットワークノード１２０又は測位ノード１３０にシグナリングされる、対応する信頼水準を有するＲＳＴＤ＿ＱＵＡＬＩＴＹ。
【０１２５】
信頼水準情報が既知である場合、第２のネットワークノード１２０から第１のネットワークノード１１０にシグナリングされる、信頼水準情報を有しないＲＳＴＤ＿ＲＥＦＱＵＡＬＩＴＹ。
【０１２６】
第２のネットワークノード１２０又は測位ノード１３０から第１のネットワークノード１１０にシグナリングされる、対応する信頼水準を有するＲＳＴＤ＿ＲＥＦＱＵＡＬＩＴＹ。
【０１２７】
信頼水準情報が既知である場合、例えば、ＭＭＥと測位ノード１３０、ＭＭＥと第２のネットワークノード１２０、第２のネットワークノード１２０と測位ノード１３０、Ｅ−ＳＭＬＣとユーザプレーン測位ノード等といったネットワークノード間でシグナリングされる、信頼水準情報を有しないＲＳＴＤ＿ＲＥＦＱＵＡＬＩＴＹ。
【０１２８】
例えば、ＭＭＥと測位ノード１３０、ＭＭＥと第２のネットワークノード１２０、第２のネットワークノード１２０と測位ノード１３０、Ｅ−ＳＭＬＣとユーザプレーン測位ノード等といったネットワークノード間でシグナリングされる、対応する信頼水準を有するＲＳＴＤ＿ＲＥＦＱＵＡＬＩＴＹ。
【０１２９】
統合（Aggregated）ＲＳＴＤ＿ＲＥＦＱＵＡＬＩＴＹ：レポートされるＲＳＴＤ値及び所与の信頼水準ごとに、ＲＳＴＤ値を取得するために用いられるものと同じ統計的な演算（statistics  operation）を適用することによって取得される、推定されるＲＳＴＤ品質についての１つのレポートされる値が存在し得る。
【０１３０】
上記において、ＲＳＴＤ＿ＲＥＦＱＵＡＬＩＴＹは、特定の測位ＱｏＳに関連付けられるＲＳＴＤ参照品質である。
【０１３１】
列挙されるシグナリング手段の全てが全てのネットワークアーキテクチャ及び測位解決法について、並びに他のタイプのタイミング測定結果について用いられ得るわけではないことに留意されたい。
【０１３２】
上述されたシグナリング手段は、本開示において説明されるＲＳＴＤ品質メトリックを用いることを要求せず、例えばＲＳＴＤ標準偏差といった他のシステムについて標準化されているものを含む任意の品質メトリックについて適用され得ることにも留意されたい。さらに、提案されるシグナリングは、ＲＳＴＤのみに限定されず、任意のタイミングベースの測定結果について用いられ得る。
【０１３３】
上記において、ＬＴＥに適用する場合、測位ノード１３０は、制御プレーンにおけるＥ−ＳＭＬＣ、又は、標準化されたインタフェース若しくは専用のインタフェースを介してＥ−ＳＭＬＣと通信し得るユーザプレーン測位ノードとしてのＳＬＰを備えてもよい。このセクションにおいてシグナリングのために提案される情報は、例えば以下のプロトコルを介して通信され得る：第１のネットワークノード１１０と測位ノード１３０との間のＬＴＥ測位プロトコル（ＬＰＰ：LTE  Positioning  Protocol）、第２のネットワークノード１２０と測位ノード１３０との間のＬＰＰアネックス（ＬＰＰａ：LPP  Annex）、ＭＭＥと測位ノード１３０との間のＬＣＳアプリケーションプロトコル（ＬＣＳ−ＡＰ）。
【０１３４】
図２Ａは、本解決法の例示的な実施形態を図示する結合されたフローチャート及びブロック図である。
【０１３５】
後続の図２Ａ〜２Ｄにおいて図示されるように、本解決法は、様々な実施形態の以下の限定されない説明において例示され得る。これらは、本解決法の様々な実施形態の一般的な概要を与えると共に、本解決法の汎用性及び多様性を描写するために提供される。
【０１３６】
図２Ａに図示される実施形態は、以下の動作を含み得る：
【０１３７】
第１のネットワークノード１１０は、第２のネットワークノード１２０のインスタンスから信号を受信する。図中、３つの第２のネットワークノード１２０が概略的に図示されている。しかしながら、これは限定されない例にすぎないと理解されるべきである。第２のネットワークノード１２０から受信される信号は、例えば、ＣＲＳ、ＰＲＳ、又は任意の他の適当な信号といったリファレンス信号であり得る。任意の他の適当な信号も、例えば同期信号であってもよい。
【０１３８】
さらに、本文脈において議論される各信号は、１つの信号、信号のバースト、又は、任意の時間間隔を挙げると例えば１６０ｍｓごとといったある時間間隔で繰り返し送信される信号／信号バーストを含んでもよい。
【０１３９】
第２のネットワークノード１２０のインスタンスから受信される信号の各々について、第１のネットワークノード１１０は、リファレンス信号時間差（ＲＳＴＤ）を測定し得る。リファレンス信号時間差は、第２のネットワークノード１２０及び参照ノードから受信される信号間の相対的なタイミング差である。参照ノードはサービングノードであってもよいが、これは必須ではない。第２のネットワークノード１２０のいずれも、サービングノード及び／又は参照ノードとして動作することが可能であり得る。
【０１４０】
さらに、第２のネットワークノード１２０から受信される信号についてのチャネル特性の値が判定され得る。信号は、タイミング測定結果について用いられたものと同じ信号、又は、例えばＣＲＳ、ＰＲＳ、若しくは任意の他の適当な信号のようなリファレンス信号といった、第２のネットワークノード１２０の同じインスタンスから送出される異なる信号であってもよい。
【０１４１】
チャネル特性の値は、通信チャネルのチャネル遅延スプレッドといった遅延スプレッド、測定される信号品質若しくは受信される信号強度、又はリファレンス信号の相関情報を含み得る。ここで、相関情報は、例えば、値ｐ（タウｉ）のシーケンスによって与えられる、相関器において測定される受信エネルギーの量、又は任意の他の適当な指標として定義される。ここで、ｉは、選択されるピークを囲むインデックスのセット［−Ｉｍａｘ，．．．，＋Ｉｍａｘ］からの相対インデックスである。
【０１４２】
そのような他の適当な指標は、例えば、タイミングアドバンス（ＴＡ：Timing  Advance）、信号対干渉及び雑音比（ＳＩＮＲ：Signal  to  Interference  and  Noise  Ratio）、又は、距離、即ち第１のネットワークノード１１０からの見通し線（ＬＯＳ：Line  Of  Sight）内にセルがある場合、を含み得る。ＬＯＳステータスは、例えば、隣接信号強度又は干渉と理想的なパス損失モデルとを比較し、又は、おそらくチャネル推定を用いて、これらの「近い（close）」ものを選択することによって、何らかのさらなる算出に基づいて計算され（reckoned）得る。
【０１４３】
第２のネットワークノード１２０から受信される信号についてのチャネル特性の判定される値は、次いで、第２のネットワークノード１２０の当該インスタンスから受信される信号について得られる（made  on）タイミング測定結果と関連付けられ得る。これにより、タイミング測定結果の品質推定が可能になる。
【０１４４】
幾つかの実施形態によれば、チャネル特性の判定される値は、品質指標（quality  measure）に変換され得る。これは、第２のネットワークノード１２０から受信される信号について得られるタイミング測定結果に関連付けられ得る。幾つかの実施形態によれば、判定されるチャネル特性値の品質メトリック値へのこのような変換は、判定されるチャネル特性値をメモリ中のルックアップテーブルにおける所定の対応する品質メトリック値のリストにマッピングすることによって実行され得る。ただし、判定されるチャネル特性値の品質メトリック値への変換は、指数関数、多項式関数、又は線形関数といった、チャネル特性の値を品質メトリック値に関連させる品質関数を実行することによって、随意的になされてもよい。
【０１４５】
幾つかの実施形態によれば、第２のネットワークノード１２０からの各タイミング測定結果に関連付けられる品質メトリックの値に基づいて、第１のネットワークノード１１０は、その位置と、取得される位置推定に関連する信頼水準も判定し得る。
【０１４６】
第１のネットワークノード１１０は、複数の個別の第２のネットワークノード１２０から複数の信号を受信し得る。ただし、これらの信号のうちの幾つかは、歪められ、遮られ、反射され、及びマルチパスを経由して受信され、並びに／又は、他の信号によって干渉されることがあるため、これらの信号を測位算出の根拠として用いる場合には信用できないことがある。幾つかの実施形態によれば、最も信頼できないタイミング測定結果は位置を算出する場合に無視され、又は、より低い優先度を与えられるので、本方法により、測位はより高い精度で実行され得る。
【０１４７】
幾つかの実施形態によれば、タイミング測定結果は、それぞれに関連付けられる品質メトリック値に基づいて優先順位リストにおいてソートされ得る。第１のネットワークノード１１０の地理的な位置の算出は、閾値といった基準に従って優先順位リストから優先順で選択されるタイミング測定結果のサブセットに基づいてなされ得る。
【０１４８】
ただし、幾つかの実施形態によれば、より高い品質メトリック値を有するタイミング測定結果には、位置算出においてより高い重みを与えられ得る。これにより、測位算出の精度はさらに改善され得る。なぜなら、品質メトリックによって示されるように、正確である可能性がより高いタイミング測定結果には、測位算出においてより大きな影響力が与えられ得る一方で、正確である可能性がより低いタイミング測定結果には、完全には無視されないものの、より小さい影響力が与えられるためである。
【０１４９】
随意的に、幾つかの実施形態によれば、第１のネットワークノード１１０は、例えば測位ノード１３０、又は、例えばランデブーサービス（rendezvous  service）等を提供するために、例えばネットワーク１００内のユーザ機器別のネットワークノードに、それ自身の計算される地理的な位置をレポートし得る。
【０１５０】
図２Ｂは、本解決法の例示的な実施形態を図示する結合されたフローチャート及びブロック図である。
【０１５１】
図２Ｂに図示される実施形態は、以下の動作を含み得る：
【０１５２】
第１のネットワークノード１１０の位置についての要求は、例えば測位ノード１３０から受信され得る。
【０１５３】
第１のネットワークノード１１０は、第２のネットワークノード１２０から信号を受信する。図中、第２のネットワークノード１２０の３つの個別のインスタンスが概略的に図示されているが、これは限定されない例にすぎないと理解されるべきである。第２のネットワークノード１２０から受信される信号は、例えばＣＲＳ、ＰＲＳ、又は任意の他の適当な信号といったリファレンス信号であり得る。
【０１５４】
任意の第２のネットワークノード１２０からこのように受信される信号の各々について、第１のネットワークノード１１０は、リファレンス信号時間差（ＲＳＴＤ）を測定し得る。リファレンス信号時間差は、第２のネットワークノード１２０及び参照ノードから受信される信号間の相対的なタイミング差である。参照ノードはサービングノードであってもよいが、これは必須ではない。第２のネットワークノード１２０のいずれも、サービングノード及び／又は参照ノードとして動作することが可能であり得る。信号測定結果は、受信される測位要求によって随意的にトリガされてもよい。
【０１５５】
さらに、第２のネットワークノード１２０から受信される信号についてのチャネル特性の値が判定され得る。信号は、タイミング測定結果について用いられたものと同じ信号、又は、例えばＣＲＳ、ＰＲＳ、若しくは任意の他の適当な信号のようなリファレンス信号といった、第２のネットワークノード１２０から送出される異なる信号であってもよい。
【０１５６】
チャネル特性の値は、通信チャネルのチャネル遅延スプレッドといった遅延スプレッド、測定される信号品質若しくは受信される信号強度、又はリファレンス信号の相関情報を含み得る。ここで、相関情報は、例えば、値ｐ（タウｉ）のシーケンスによって与えられる、相関器において測定される受信エネルギーの量、又は任意の他の適当な指標として定義される。ここで、ｉは、選択されるピークを囲むインデックスのセット［−Ｉｍａｘ，．．．，＋Ｉｍａｘ］からの相対インデックスである。
【０１５７】
そのような他の適当な指標は、例えば、タイミングアドバンス（ＴＡ：Timing  Advance）、信号対干渉及び雑音比（ＳＩＮＲ：Signal  to  Interference  and  Noise  Ratio）、又は距離、即ち、第１のネットワークノード１１０からの見通し線（ＬＯＳ：Line  Of  Sight）内にセルがある場合、を含み得る。ＬＯＳステータスは、例えば、隣接信号強度又は干渉と理想的なパス損失モデルとを比較し、又は、おそらくチャネル推定を用いて、これらの「近い」ものを選択することによって、何らかのさらなる算出に基づいて計算され得る。
【０１５８】
第２のネットワークノード１２０から受信される信号についてのチャネル特性の判定される値は、次いで、当該第２のネットワークノード１２０から受信される信号について得られるタイミング測定結果と関連付けられ得る。これにより、タイミング測定結果の品質推定が可能になり得る。
【０１５９】
幾つかの実施形態によれば、チャネル特性の判定される値は、品質指標に変換され得る。これは、第２のネットワークノード１２０から受信される信号について得られるタイミング測定結果に関連付けられ得る。幾つかの実施形態によれば、判定されるチャネル特性値の品質メトリック値へのこのような変換は、判定されるチャネル特性値をメモリ中のルックアップテーブルにおける所定の対応する品質メトリック値のリストにマッピングすることによって実行され得る。ただし、判定されるチャネル特性値の品質メトリック値への変換は、指数関数、又は線形関数といった、チャネル特性の値を品質メトリック値に関連させる品質関数を実行することによって、随意的になされてもよい。
【０１６０】
タイミング測定結果と、第２のネットワークノード１２０からの各タイミング測定結果に関連付けられる品質メトリックの対応する値とは、次いで、測位ノード１３０に送信され得る。品質メトリックの値及び関連付けられるタイミング測定結果に基づいて、測位ノード１３０は、第１のネットワークノード１１０の地理的な位置を判定し得る。
【０１６１】
幾つかの実施形態によれば、タイミング測定結果は、それぞれに関連付けられる品質メトリック値に基づいて優先順位リストにおいてソートされ得る。第１のネットワークノード１１０の地理的な位置の算出は、閾値といった基準に従って優先順位リストから優先順で選択されるタイミング測定結果のサブセットに基づいてなされ得る。
【０１６２】
ただし、幾つかの実施形態によれば、測位ノード１３０は、より高い品質メトリック値を有するタイミング測定結果に、位置算出においてより高い重みを与えてもよい。これにより、測位算出の精度はさらに改善され得る。なぜなら、品質メトリックによって示されるように、正確である可能性がより高いタイミング測定結果には、測位算出においてより大きな影響力が与えられ得る一方で、正確である可能性がより低いタイミング測定結果には、完全には無視されないものの、より小さい影響力が与えられるためである。
【０１６３】
随意的に、幾つかの実施形態によれば、測位ノード１３０は、第１のネットワークノード１１０の計算される地理的な位置を、例えば第１のネットワーク１１０自身といった別のネットワークノードにレポートすることにより、ユーザ機器支援型の測位サービス（user  equipment  assisted  positioning  service）を提供し得る。
【０１６４】
図２Ｃは、本解決法の例示的な実施形態を図示する結合されたフローチャート及びブロック図である。図２Ｃに図示される実施形態は、以下の動作を含み得る：
【０１６５】
第１のネットワークノード１１０の位置についての要求は、例えば測位ノード１３０から受信され得る。
【０１６６】
第１のネットワークノード１１０は、第２のネットワークノード１２０から信号を受信する。図中、第２のネットワークノード１２０の３つの個別のインスタンスが概略的に図示されている。しかしながら、これは限定されない例にすぎないと理解されるべきである。第２のネットワークノード１２０から受信される信号は、例えば、ＣＲＳ、ＰＲＳ、又は任意の他の適当な信号といったリファレンス信号であり得る。
【０１６７】
第２のネットワークノード１２０からこのように受信される信号の各々について、第１のネットワークノード１１０は、リファレンス信号時間差（ＲＳＴＤ）を測定し得る。リファレンス信号時間差は、第２のネットワークノード１２０及び参照ノードから受信される信号間の相対的なタイミング差である。参照ノードはサービングノードであってもよいが、これは必須ではない。第２のネットワークノード１２０のいずれも、サービングノード及び／又は参照ノードとして動作することが可能であり得る。信号測定結果は、受信される測位要求によって随意的にトリガされてもよい。
【０１６８】
さらに、第２のネットワークノード１２０から受信される信号についてのチャネル特性の値が判定され得る。信号は、タイミング測定結果について用いられたものと同じ信号、又は、例えばＣＲＳ、ＰＲＳ、若しくは任意の他の適当な信号のようなリファレンス信号といった、第２のネットワークノード１２０から送出される異なる信号であってもよい。
【０１６９】
チャネル特性の値は、通信チャネルのチャネル遅延スプレッドといった遅延スプレッド、測定される信号品質若しくは受信される信号強度、又はリファレンス信号の相関情報を含み得る。ここで、相関情報は、例えば、値ｐ（タウｉ）のシーケンスによって与えられる、相関器において測定される受信エネルギーの量、又は任意の他の適当な指標として定義される。ここで、ｉは、選択されるピークを囲むインデックスのセット［−Ｉｍａｘ，．．．，＋Ｉｍａｘ］からの相対インデックスである。
【０１７０】
そのような他の適当な指標は、例えば、タイミングアドバンス、信号対干渉及び雑音比、又は距離、即ち、第１のネットワークノード１１０からの見通し線内にセルがある場合、を含み得る。ＬＯＳステータスは、例えば、隣接信号強度又は干渉と理想的なパス損失モデルとを比較するし、又は、おそらくチャネル推定を用いて、これらの「近い」ものを選択することによって、何らかのさらなる算出に基づいて計算され得る。
【０１７１】
第２のネットワークノード１２０から受信される信号についてのチャネル特性の判定される値は、次いで、当該第２のネットワークノード１２０から受信される信号について得られるタイミング測定結果と関連付けられ得る。これにより、タイミング測定結果の品質推定が可能になる。
【０１７２】
図示される実施形態によれば、タイミング測定結果及び関連付けられるチャネル特性は、次いで、測位ノード１３０に送信され得る。
【０１７３】
幾つかの実施形態によれば、チャネル特性の判定される値は、測位ノード１３０によって品質指標に変換され得る。これは、タイミング測定結果に関連付けられ得る。幾つかの実施形態によれば、判定されるチャネル特性値の品質メトリック値へのこのような変換は、判定されるチャネル特性値をメモリ中のルックアップテーブルにおける所定の対応する品質メトリック値のリストにマッピングすることによって実行され得る。ただし、判定されるチャネル特性値の品質メトリック値への変換は、指数関数又は線形関数といった、チャネル特性の値を品質メトリック値に関連させる品質関数を実行することによって、随意的になされてもよい。
【０１７４】
品質メトリックの値及び関連付けられるタイミング測定結果に基づいて、測位ノード１３０は、第１のネットワークノード１１０の地理的な位置を判定し得る。
【０１７５】
幾つかの実施形態によれば、タイミング測定結果は、それぞれに関連付けられる品質メトリック値に基づいて優先順位リストにおいてソートされ得る。第１のネットワークノード１１０の地理的な位置の算出は、閾値といった基準に従って優先順位リストから優先順で選択されるタイミング測定結果のサブセットに基づいてなされ得る。
【０１７６】
ただし、幾つかの実施形態によれば、測位ノード１３０は、より高い品質メトリック値を有するタイミング測定結果に、位置算出においてより高い重みを与え得る。これにより、測位算出の精度はさらに改善され得る。なぜなら、品質メトリックによって示されるように、正確である可能性がより高いタイミング測定結果には、測位算出においてより大きな影響力が与えられ得る一方で、正確である可能性がより低いタイミング測定結果には、完全には無視されないものの、より小さい影響力が与えられるためである。
【０１７７】
随意的に、幾つかの実施形態によれば、測位ノード１３０は、第１のネットワークノード１１０の計算される地理的な位置を、例えば第１のネットワーク１１０自身といった別のネットワークノードにレポートすることにより、ユーザ機器支援型の測位サービスを提供し得る。
【０１７８】
図２Ｄは、本解決法の例示的な実施形態を図示する結合されたフローチャート及びブロック図である。
【０１７９】
図２Ｄに図示される実施形態においては、第１のネットワークノード１１０は基地局によって表される一方、第２のネットワークノード１２０は端末、即ちユーザ機器によって表されることに留意されるべきである。
【０１８０】
測定されつつある信号についての受信機は、基地局の一部であってもよい。別の実施形態において、これらの受信機は第３のノードの一部である。第３のネットワークノードは、第２のネットワークノード１２０、即ち端末から無線信号を受信するロケーション測定ユニット（ＬＭＵｓ：Location  Measurement  Units）を備え、測位測定を実行し得る。
【０１８１】
ＬＭＵは、通常、無線基地局及び測位ノード１３０に接続される無線ノードである。ＬＭＵは、端末から無線信号を受信し、測位測定を実行する。
【０１８２】
幾つかの実施形態によれば、ＬＭＵは、スケジューリング情報及びリファレンス信号情報等を無線基地局から受信し、測定結果を測位ノード１３０にレポートし得る。
【０１８３】
チャネル特性は、ＬＭＵによっても測定され得る。ただし、幾つかの実施形態によれば、この例においてこのようにＬＭＵと同一の場所に設けられ（co-located）、チャネル測定結果（channel  measurements）をＬＭＵに伝達する基地局においてチャネル測定（channel  measurements）が実行される場合の解決法も可能である。
【０１８４】
後者の場合、測定結果は、ＬＭＵ又は基地局のどちらによって測位ノード１３０にレポートされてもよく、基地局が測定結果を測位ノード１３０にレポートする前に、ＬＭＵは測定結果を基地局に伝達し得る。
【０１８５】
実際には一般的であるとしても、ＬＭＵは常にｅノードＢと同一の場所に設けられるわけではない。基地局とＬＭＵとの間のインタフェースは、標準化されたもの又は専用のものであってよい。同一の場所に設けられる場合、２つのノードは、単一の「ボックス（box）」のように見えるかもしれないが、機能性は依然として異なるであろう。ＬＭＵにおいて測定されるアップリンクについての典型的なタイミング測定結果は、到来時刻であり得る。
【０１８６】
図２Ｄに図示される実施形態は、以下の動作を含み得る：
【０１８７】
無線ネットワーク１００における第１のネットワークノード１１０、即ち基地局のいずれか、幾つか、又は全てのインスタンスは、例えばリファレンス信号情報及び／又はスケジューリング情報といった信号情報を、測位ノード１３０に送信し得る。幾つかの実施形態によれば、これは、任意の時点においてなされてよく、ある間隔で連続的に実行されてもよい。
【０１８８】
次いで、第２のネットワークノード１２０、即ちユーザ機器は、例えばサウンディングリファレンス信号といった信号を送信し得る。幾つかの実施形態によれば、第２のネットワークノード１２０から送出される信号は、次いで、第１のネットワークノード１１０のインスタンスによって受信され得る。第１のネットワークノード１１０は、受信される信号に基づいてタイミング測定を実行し得る。
【０１８９】
幾つかの実施形態によれば、タイミング測定結果は、測位ノード１３０に別個に送られ得る。
【０１９０】
さらに、第２のネットワークノード１２０から受信される信号についてのチャネル特性の値が判定され得る。信号は、タイミング測定結果について用いられたものと同じ信号、又は、例えば、リファレンス信号、サウンディングリファレンス信号（ＳＲＳ：Sounding  Reference  Signal）、若しくは任意の他の適当な信号、若しくは制御チャネル若しくはトラフィックチャネルといった、第２のネットワークノード１２０から送出される異なる信号であってよい。
【０１９１】
チャネル特性の値は、通信チャネルのチャネル遅延スプレッドといった遅延スプレッド、測定される信号品質若しくは受信される信号強度、又はリファレンス信号の相関情報を含み得る。ここで、相関情報は、例えば、値ｐ（タウｉ）のシーケンスによって与えられる、相関器において測定される受信されるエネルギーの量、又は任意の他の適当な指標として定義される。ここで、ｉは、選択されるピークを囲むインデックスのセット［−Ｉｍａｘ，．．．，＋Ｉｍａｘ］からの相対インデックスである。
【０１９２】
そのような他の適当な指標は、例えば、タイミングアドバンス、信号対干渉及び雑音比、又は距離、即ち、第１のネットワークノード１１０からの見通し線内にセルがある場合、を含み得る。見通し線ステータスは、例えば、隣接信号強度又は干渉と理想的なパス損失モデルとを比較し、又は、おそらくチャネル推定を用いて、これらの「近い」ものを選択することによって、何らかのさらなる算出に基づいて計算され得る。
【０１９３】
幾つかの実施形態によれば、第２のネットワークノード１２０から受信される信号についてのチャネル特性の判定される値は、次いで、第２のネットワークノード１２０から受信される信号について得られるタイミング測定結果と関連付けられ得る。これにより、タイミング測定結果の品質推定が可能になり得る。
【０１９４】
幾つかの実施形態によれば、図示される実施形態に係るタイミング測定結果及び関連付けられるチャネル特性は、対応するタイミング測定結果と共に、又は対応するタイミング測定結果とは別個に、測位ノード１３０に送信され得る。
【０１９５】
幾つかの実施形態によれば、チャネル特性の判定される値は、測位ノード１３０によって品質指標に変換され得る。これは、タイミング測定結果に関連付けられ得る。幾つかの実施形態によれば、判定されるチャネル特性値の品質メトリック値へのこのような変換は、判定されるチャネル特性値をメモリ中のルックアップテーブルにおける所定の対応する品質メトリック値のリストにマッピングすることによって実行され得る。ただし、判定されるチャネル特性値の品質メトリック値への変換は、指数関数又は線形関数といった、チャネル特性の値を品質メトリック値に関連させる品質関数を実行することによって、随意的になされてもよい。
【０１９６】
品質メトリックの値及び関連付けられるタイミング測定結果に基づいて、測位ノード１３０は、第２のネットワークノード１２０の地理的な位置を判定し得る。
【０１９７】
幾つかの実施形態によれば、タイミング測定結果は、それぞれに関連付けられる品質メトリック値に基づいて優先順位リストにおいてソートされ得る。第２のネットワークノード１２０の地理的な位置の算出は、閾値といった基準に従って優先順位リストから優先順で選択されるタイミング測定結果のサブセットに基づいてなされ得る。
【０１９８】
ただし、幾つかの実施形態によれば、測位ノード１３０は、より高い品質メトリック値を有するタイミング測定結果に、位置算出においてより高い重みを与え得る。これにより、測位算出の精度はさらに改善され得る。なぜなら、品質メトリックによって示されるように、正確である可能性がより高いタイミング測定結果には、測位算出においてより大きな影響力が与えられ得る一方で、正確である可能性がより低いタイミング測定結果には、完全には無視されないものの、より小さい影響力が与えられるためである。
【０１９９】
随意的に、幾つかの実施形態によれば、測位ノード１３０は、第２のネットワークノード１２０の計算される地理的な位置を、例えば第２のネットワーク１２０自身といった別のネットワークノード１１０、１２０にレポートし得る。
【０２００】
図３は、時間ベース（time  based）の測定結果の品質推定を可能とするための、第１のネットワークノード１１０における方法動作３０１〜３０５の実施形態を図示するフローチャートである。第１のネットワークノード１１０と第２のネットワークノード１２０とは、無線通信ネットワーク１００に含まれる。無線通信ネットワーク１００は、例えばＬＴＥ無線ネットワークであってもよい。様々な実施形態によれば、第１のネットワークノード１１０は、例えば、携帯電話、ユーザ機器、又は基地局であってもよい。様々な実施形態によれば、第２のネットワークノード１２０は、例えば、基地局、ｅＮＢ、携帯電話、又はユーザ機器であってもよい。
【０２０１】
時間ベースの測定結果の品質推定は、信頼水準をさらに含み得る。これにより、劣悪な品質の場合と同様に、低い信頼の測定結果は位置算出において用いられないか、又は、より低い優先度を与えられ得る。
【０２０２】
幾つかの実施形態によれば、マッピングを用いると、品質値を有する別個のマッピングテーブル又は別個のカラム等が様々な信頼水準について存在し得る。
【０２０３】
タイミング測定結果の品質推定を適当に可能とするために、方法は、複数の動作３０１〜３０５を含み得る。
【０２０４】
ただし、説明される動作、例えば動作３０１〜３０５のうちの幾つかは、列挙されるもの（enumeration）が示すのとは多少異なる時系列で実行されてもよく、当該動作のうちの幾つか、例えば動作３０１及び３０５は、随意的であることに留意すべきである。さらに、例えば３０２及び３０３といった、動作のいずれか、幾つか、又は全ては、同時に又は並べ替えられた時系列で実行されてもよい。方法は、以下の動作を含み得る：
【０２０５】
動作３０１
この動作は随意的であり、幾つかの実施形態においてのみ実行され得る。
【０２０６】
幾つかの実施形態によれば、タイミング測定をトリガする測位要求が受信され得る。
【０２０７】
随意的な測位要求は、無線ネットワーク１００内のユーザ機器によって、第２のネットワークノード１２０によって、又は測位ノード１３０によって、送られ得る。
【０２０８】
動作３０２
第２のネットワークノード１２０から受信される信号に基づいて、タイミング測定が実行される。
【０２０９】
幾つかの実施形態によれば、タイミング測定結果は、リファレンス信号時間差（ＲＳＴＤ）測定結果であってもよい。さらに、タイミング測定結果は、少なくとも１つの第２のネットワークノード１２０からの測位リファレンス信号（ＰＲＳ）に基づいてもよい。
【０２１０】
ＲＳＴＤ品質は、最も簡単なメトリックであり得る。なぜなら、任意の他の指標、即ち、ＲＳＴＤ自体、信号品質測定結果等は、ＲＳＴＤ測定結果の信頼性を直接的に反映しないためである。このことは、タイミングベースの測定結果についての利点となり得る。
【０２１１】
幾つかの実施形態によれば、測位ノード１３０といった別のネットワークノードから測位要求又はトリガを受信することによって、タイミング測定はトリガされ得る。
【０２１２】
動作３０３
第２のネットワークノード１２０から受信される信号についてのチャネル特性の値が判定される。様々な実施形態によれば、受信される信号は、タイミング測定が実行される信号と同じ信号、又は、同じ第２のネットワークノード１２０からの異なる信号であってもよい。
【０２１３】
幾つかの実施形態によれば、チャネル特性の値は、通信チャネルのチャネル遅延スプレッド、リファレンス信号の相関情報及び測定される信号品質又は受信される信号強度、リファレンス信号の相関情報及び／又は測定される信号品質のうちの少なくとも１つに基づいてもよい。
【０２１４】
幾つかの実施形態によれば、判定されるチャネル特性値及びタイミング測定結果の関連付けられる値は、測位サーバ１３０に提供され、タイミング測定結果及び関連付けられるチャネル特性値に基づいて第１のネットワークノード１１０の測位を可能とし得る。
【０２１５】
幾つかの実施形態によれば、第２のネットワークノード１２０から受信される信号について判定されるべきチャネル特性値は、通信チャネルのチャネル遅延スプレッド、信号の相関情報、及び測定される信号品質又は受信される信号強度のうちの少なくとも１つに基づいてもよい。
【０２１６】
幾つかの実施形態によれば、相関出力の少なくとも一部は、測位ノード１３０にシグナリングされてもよい。
【０２１７】
幾つかの実施形態によれば、チャネル測定は、タイミング測定と共に開始してもよく、少なくとも１つの実施形態によれば、チャネル推定は、受信される測位要求によってトリガされてもよい。
【０２１８】
動作３０４
タイミング測定結果の品質推定が可能となるように、チャネル特性の判定される値は、タイミング測定結果と関連付けられる。
【０２１９】
幾つかの実施形態によれば、動作は、チャネル特性の判定される値を品質メトリック値に変換することと、当該品質メトリック値をタイミング測定結果に関連付けることとを含み得る。
【０２２０】
幾つかの実施形態によれば、品質メトリック値は、第１のネットワークノード１１０についての測位算出において利用されるタイミング測定結果の重みを判定するために用いられてもよい。
【０２２１】
幾つかの実施形態によれば、判定される品質メトリック値及びタイミング測定結果の関連付けられる値は、測位サーバ１３０に提供され、タイミング測定結果及び関連付けられる品質メトリック値に基づいて第１のネットワークノード１１０の測位を可能にし得る。
【０２２２】
判定されるチャネル特性値の品質メトリック値への変換は、判定されるチャネル特性値をメモリ中のルックアップテーブルにおける所定の対応する品質メトリック値のリストにマッピングすることによって随意的に実行され得る。
【０２２３】
ただし、幾つかの実施形態によれば、判定されるチャネル特性値の品質メトリック値への変換は、指数関数といった、チャネル特性を品質メトリック値に関連させる品質関数を実行することによって実行され得る。
【０２２４】
これにより、タイミングベースの測定結果についての新たな品質メトリックが達成され、当該品質メトリックは、単一のタイミング測定結果についても適用可能である。
【０２２５】
動作３０５
この動作は随意的であり、幾つかの実施形態においてのみ実行され得る。
【０２２６】
第１のネットワークノード１１０の地理的な位置は、タイミング測定結果及び関連付けられる品質メトリック値に基づいて判定され得る。
【０２２７】
幾つかの実施形態によれば、第１のネットワークノード１１０の地理的な位置を判定する動作は、例えば、個別のネットワークノード１２０−１、１２０−２、１２０−３から受信される信号について複数のタイミング測定を実行するといった、個別のネットワークノード１２０−１、１２０−２、１２０−３から受信される信号について得られる複数のタイミング測定結果を取得することを含んでもよい。さらに、品質メトリック値の対応するセットが取得され得る。また、取得されるタイミング測定結果は、それぞれに関連付けられる品質メトリック値に基づいて、優先順位リストにおいてソートされ得る。さらに、第１のネットワークノード１１０の地理的な位置は、基準に従って優先順位リストから優先順で選択されるタイミング測定結果のサブセットに基づいて算出され得る。
【０２２８】
幾つかの実施形態によれば、上記基準は、閾値を含み、タイミング測定結果のサブセットは、品質値が上記閾値の一方の側に存在する測定結果を含み得る。
【０２２９】
幾つかの実施形態によれば、第１のネットワークノード１１０の位置を算出する場合、より高い品質メトリック値を有するタイミング測定結果には、より高い重みが与えられ得る。
【０２３０】
これにより、信頼できない信号タイミング測定結果の影響を除外し又は低減することによって、無線通信ネットワーク１００内の測位測定結果が改善される。さらに、測位測定処理を動的に最適化して、要求されるＱｏＳ要件を満たすことが容易になる。
【０２３１】
図４は、第１のネットワークノード１１０を概略的に図示する。第１のネットワークノード１１０は、時間ベースの測定結果の品質推定を可能にするために、前述された動作３０１〜３０５のいずれか、幾つか、又は全てを実行するように構成される。第１のネットワークノード１１０と第２のネットワークノード１２０とは、無線通信ネットワーク１００に含まれる。無線通信ネットワーク１００は、例えばＬＴＥ無線ネットワークであってもよい。様々な実施形態によれば、第１のネットワークノード１１０は、例えば、携帯電話、ユーザ機器、又は基地局であってもよい。様々な実施形態によれば、第２のネットワークノード１２０は、例えば、基地局、ｅＮＢ、携帯電話、又はユーザ機器であってもよい。
【０２３２】
動作３０１〜３０５を正確に実行するために、第１のネットワークノード１１０は、第２のネットワークノード１２０から受信される信号に基づいてタイミング測定を実行するように構成されるプロセッサ４２０を備える。プロセッサ４２０は、第２のネットワークノード１２０から受信される信号についてチャネル特性の値を判定するようにさらに構成される。また、プロセッサ４２０は、タイミング測定結果の品質推定が可能となるように、チャネル特性の判定される値をタイミング測定結果に関連付けるように構成される。
【０２３３】
プロセッサ４２０は、例えば、中央処理装置（ＣＰＵ：Central  Processing  Unit）、マイクロプロセッサ、又は、命令を解釈し及び実行し得る他の処理ロジックによって表されてもよい。プロセッサ４２０は、呼処理制御、ユーザインタフェース制御等といった装置制御機能及びデータバッファリングを含むデータの入力、出力、及び処理のためのデータ処理機能を実行し得る。
【０２３４】
また、幾つかの実施形態によれば、第１のネットワークノード１１０は、受信機４１０を備え得る。幾つかの実施形態によれば、受信機４１０は、他のノード、例えば第２のネットワークノード１２０から無線インタフェースを介して信号を受信するように構成され得る。
【０２３５】
さらに、幾つかの実施形態によれば、第１のネットワークノード１１０は、送信機４３０を備え得る。随意的な送信機４３０は、無線インタフェースを介して第２のネットワークノード１２０に信号を送信するように構成され得る。
【０２３６】
動作３０１〜３０５に係る本解決法を理解するために全てが必要なわけではない、第１のネットワークノード１１０の任意の内部の電子機器は、明確にするために図４から省略されていることに留意すべきである。
【０２３７】
さらに、無線通信ネットワーク１００における第１のネットワークノード１１０内に備えられる上記ユニット４１０〜４３０の幾つかは、必ずしも別個の物理的エンティティとしてではなく、別個の論理的エンティティとして見なされるべきであることに留意すべきである。ほんの一例を挙げれば、受信機４１０及び送信機４３０は、同じ物理的ユニット、即ち送受信機内に備えられ又は共に配置されてもよい。送受信機は、送信機回路と受信機回路とを備えてもよく、これらは、それぞれアンテナを介して送信（outgoing）無線周波数信号を送信し、受信（incoming）無線周波数信号を受信する。第１のネットワークノード１１０及び／又は第２のネットワークノード１２０の間で送信される無線周波数信号は、トラフィック信号及び制御信号の双方、例えば着呼（incoming  calls）についてのページング信号／メッセージを含み得る。トラフィック信号及び制御信号は、相手との音声電話通信を確立し及び維持するため、又は、遠隔ユーザ機器若しくは測位ノード１３０との間で、ＳＭＳ、電子メール、若しくはＭＭＳメッセージといったデータを送信し及び／若しくは受信するために用いられ得る。
【０２３８】
第１のネットワークノード１１０における動作３０１〜３０５は、本動作３０１〜３０５の機能を実行するためのコンピュータプログラムコードと共に、第１のネットワークノード１１０における１つ以上のプロセッサ４２０によって実装され得る。従って、動作３０１〜３０５を構成４００において実行するための命令を含むコンピュータプログラムプロダクトは、当該コンピュータプログラムプロダクトがプロセッサ４２０にロードされる場合に、これらの動作を実行して、無線通信ネットワーク１００におけるセル間干渉コーディネーション（intercell  interference  coordination）を達成し得る。
【０２３９】
上記のコンピュータプログラムプロダクトは、例えば、プロセッサ部４２０にロードされる場合に本解決法に係る方法動作を実行するためのコンピュータプログラムコードを担持するデータキャリアの形で提供され得る。データキャリアは、例えば、ハードディスク、ＣＤ  ＲＯＭディスク、メモリスティック、光学記憶装置、磁気記憶装置、又は、機械読み取り可能なデータを保持し得るディスク若しくはテープといった任意の他の適当な媒体といった、コンピュータ読み取り可能な記憶媒体であってよい。さらに、コンピュータプログラムコードは、サーバ上のプログラムコードとして提供され、例えばインターネット接続又はイントラネット接続を介してリモートで第１のネットワークノード１１０にダウンロードされ得る。
【０２４０】
図５は、測位ノード１３０における方法動作５０１〜５０４の実施形態を図示するフローチャートである。動作５０１〜５０４は、時間ベースの測定結果の品質推定を可能にすることを目指す。測位ノード１３０と第１のネットワークノード１１０とは、無線通信ネットワーク１００に含まれる。幾つかの実施形態によれば、無線通信ネットワーク１００は、ＬＴＥネットワークを含んでもよい。測位ノード１３０は、例えばＥ−ＳＭＬＣを含んでもよい。様々な実施形態によれば、第１のネットワークノード１１０は、例えば、携帯電話、ユーザ機器、又は基地局を含んでもよい。
【０２４１】
時間ベースの測定結果の品質推定を適当に可能にするために、方法は、複数の動作５０１〜５０４を含み得る。
【０２４２】
ただし、上記の方法動作、例えば動作５０１〜５０４のうちの幾つかは、列挙されるものが提案するのとは多少異なる時系列で実行されてもよく、これらの動作のうちの幾つか、例えば動作５０１及び５０２は、同時に又は並べ替えられた時系列で実行されてもよいことに留意すべきである。さらに、例えば動作５０２、５０３及び／又は５０４といった動作のうちの幾つかは随意的であり、幾つかの実施形態においてのみ実行され得る。方法は、以下の動作を含み得る：
【０２４３】
動作５０１
タイミング測定結果及び関連付けられるチャネル特性値及び／又は品質メトリック値が、第１のネットワークノード１１０から受信され、当該受信されるタイミング測定結果及び関連付けられるチャネル特性値及び／又は品質メトリック値に基づいて、第１のネットワークノード１１０の測位が可能になる。
【０２４４】
動作５０２
この動作は随意的であり、幾つかの実施形態においてのみ実行され得る。
【０２４５】
受信されるタイミング測定結果がチャネル特性の値に関連付けられる場合、当該チャネル特性の値は品質メトリック値に変換され得る。
【０２４６】
動作５０３
この動作は随意的であり、幾つかの実施形態においてのみ実行され得る。
【０２４７】
受信されるタイミング測定結果が、品質メトリック値に変換されたチャネル特性の値に関連付けられる場合、品質メトリック値はタイミング測定結果に関連付けられ得る。
【０２４８】
動作５０４
この動作は随意的であり、幾つかの実施形態においてのみ実行され得る。
【０２４９】
タイミング測定結果及び関連付けられる品質メトリック値に基づいて、第１のネットワークノード１１０の地理的な位置が判定され得る。
【０２５０】
図６は、測位ノード１３０を概略的に図示する。測位ノード１３０は、時間ベースの測定結果の品質推定を可能にするために、動作５０１〜５０４のうちのいずれか、幾つか、又は全てを実行するように構成される。測位ノード１３０と第１のネットワークノード１１０とは、無線通信ネットワーク１００に備えられる。幾つかの実施形態によれば、無線通信ネットワーク１００は、ＬＴＥネットワークを含んでもよい。測位ノード１３０は、例えばＥ−ＳＭＬＣを含んでもよい。様々な実施形態によれば、第１のネットワークノード１１０は、例えば、携帯電話、ユーザ機器、又は基地局を含んでもよい。
【０２５１】
動作５０１〜５０４を正確に実行するために、測位ノード１３０は、例えば受信機６１０を備え得る。受信機６１０は、タイミング測定結果及び関連付けられるチャネル特性値及び／又は品質メトリック値を、第１のネットワークノード１１０から受信するように構成される。さらに、受信機６１０は、受信されるタイミング測定結果及び関連付けられるチャネル特性値及び／又は品質メトリック値に基づいて、第１のネットワークノード１１０の測位を可能にするように構成される。
【０２５２】
さらに、幾つかの実施形態によれば、測位ノード１３０は、プロセッサ６２０をさらに備え得る。時間ベースの測定結果の品質推定を可能にすることを達成するために、プロセッサ６２０は、上記の動作５０１〜５０４のうちの少なくとも幾つかを処理するように構成され得る。
【０２５３】
プロセッサ６２０は、例えば、中央処理装置（ＣＰＵ）、マイクロプロセッサ、又は、命令を解釈し及び実行し得る他の処理ロジックによって表されてもよい。プロセッサ６２０は、呼処理制御、ユーザインタフェース制御等といった装置制御機能及びデータバッファリングを含むデータの入力、出力、及び処理のためのデータ処理機能を実行し得る。
【０２５４】
さらに、幾つかの実施形態によれば、測位ノード１３０は、送信機６３０をさらに備え得る。送信機６３０は、第２のネットワークノード１２０、又は、第２のネットワークノード１２０を介して第１のネットワークノード１１０に信号を送信するように構成され得る。
【０２５５】
動作５０１〜５０４に係る本方法を理解するために全てが必要なわけではない、測位ノード１３０の任意の内部の電子機器は、明確にするために図６から省略されていることに留意すべきである。
【０２５６】
さらに、無線通信ネットワーク１００における測位ノード１３０内に備えられる上記ユニット６１０〜６３０のうちの幾つかは、必ずしも別個の物理的エンティティとしてではなく、別個の論理的エンティティとして見なされるべきであることに留意すべきである。
【０２５７】
測位ノード１３０における動作５０１〜５０４は、本動作５０１〜５０４の機能を実行するためのコンピュータプログラムコードと共に、測位ノード１３０における１つ以上のプロセッサ６２０によって実装され得る。従って、動作５０１〜５０４を測位ノード１３０において実行するための命令を含むコンピュータプログラムプロダクトは、当該コンピュータプログラムプロダクトがプロセッサ６２０にロードされる場合に、これらの動作を実行して、時間ベースの測定結果の品質推定を可能にし得る。
【０２５８】
上記のコンピュータプログラムプロダクトは、例えば、プロセッサ部６２０にロードされる場合に本解決法に係る方法動作を実行するためのコンピュータプログラムコードを担持するデータキャリアの形で提供され得る。データキャリアは、例えば、ハードディスク、ＣＤ  ＲＯＭディスク、メモリスティック、光学記憶装置、磁気記憶装置、又は、機械読み取り可能なデータを保持し得るディスク若しくはテープといった任意の他の適当な媒体といった、コンピュータ読み取り可能な記憶媒体であってよい。さらに、コンピュータプログラムコードは、サーバ上のプログラムコードとして提供され、例えばインターネット接続又はイントラネット接続を介してリモートで測位ノード１３０にダウンロードされ得る。
【０２５９】
図７は、無線通信ネットワーク１００におけるモジュール８００における動作７０１〜７０５の実施形態を図示するフローチャートである。様々な実施形態によれば、モジュール８００は、第１のネットワークノード１１０、又は測位ノード１３０に備えられてもよい。
【０２６０】
動作７０１〜７０５は、チャネル特性の値をある品質メトリック値に関連させることによって品質関数を取得することを目指す。これらの値は、あるタイミング測定結果に関連付けられる。
【０２６１】
無線通信ネットワーク１００は、第１のネットワークノード１１０と、第２のネットワークノード１２０と、測位ノード１３０とを含む。無線通信ネットワーク１００は、例えばＬＴＥ無線ネットワークであってもよい。様々な実施形態によれば、第１のネットワークノード１１０は、例えば、携帯電話、ユーザ機器、又は基地局であってもよい。様々な実施形態によれば、第２のネットワークノード１２０は、例えば、基地局、ｅＮＢ、携帯電話、又はユーザ機器であってもよい。
【０２６２】
チャネル特性の値をある品質メトリック値に関連させることによって品質関数を適当に取得するために、方法は、複数の動作７０１〜７０５を含み得る。
【０２６３】
ただし、本明細書において説明される動作、例えば動作７０１〜７０５のうちの幾つかは、列挙されるものが提案するのとは多少異なる時系列で実行されてもよく、これらの動作のうちの幾つか、例えば動作７０１及び７０２は、同時に又は並べ替えられた時系列で実行されてもよいことに留意すべきである。方法は、以下の動作を含み得る：
【０２６４】
動作７０１
第２のネットワークノード１２０から受信される信号についての参照タイミング指標（reference  timing  measure）が取得される。
【０２６５】
参照タイミング指標は、参照セルとも称され得る参照ノードから受信される信号について得られる測定結果を含み得る。幾つかの実施形態によれば、参照タイミング指標は、例えば、送信ノード及び受信ノード、即ち、第１のネットワークノード１１０及び第２のネットワークノード１２０についての距離指標（distance  measure）の線形関数として取得され得る。距離指標は、例えば対応するタイミング測定結果が到達時間である場合、例えば第１のネットワークノード１１０と第２のネットワークノード１２０との間の距離であってもよい。距離指標は、２つの距離、即ち、対応するタイミング測定結果が例えばＲＳＴＤを含む場合、第１のネットワークノード１１０と第２のネットワークノード１２０との間の距離及び／又は第１のネットワークノード１１０と第２のネットワークノード１２０の別のインスタンスとの間の距離の間の差を含んでもよい。幾つかの実施形態によれば、距離指標は、例えばＧＰＳ受信機を用いて取得され得る。
【０２６６】
動作７０２
第２のネットワークノード１２０によって送信される信号について第１のネットワークノード１１０によって得られるタイミング測定結果が取得される。
【０２６７】
動作７０３
タイミング測定結果ごとのタイミング測定結果誤差とチャネル特性の値とが算出される。タイミング測定結果誤差及びチャネル特性値は、参照タイミング指標と取得されるタイミング測定結果との間の差に基づく。
【０２６８】
動作７０４
チャネル特性は、対応するタイミング測定結果に関連付けられる。
【０２６９】
一実施形態において、関係は関数によって与えられ得る。別の実施形態において、関係はマッピングによって与えられ得る。
【０２７０】
動作７０５
チャネル特性とタイミング測定結果誤差との間の関係を反映する品質メトリックが定義される。
【０２７１】
品質メトリックは、チャネル特性とタイミング測定結果誤差との間の関係を反映する関数として定義され得る。ここで、関数は、例えば、数学関数、所定のマッピング、又は体系的にテーブル化される値のセットであってもよい。
【０２７２】
一実施形態において、例えばトレーニング期間の間に、正確な地理的な位置が既知であるか、又は、例えばＧＰＳ受信機を用いて取得され得る第１のネットワークノード１１０、即ち端末からの統計値を収集し及び用いることによって、品質関数を取得する方法は、実際のネットワーク１００においてオンラインで実行され得る。別の実施形態において、関係は、例えばシミュレーション又はテスト測定結果によって、オフラインフィッティングによって取得され得る。少なくとも１つの実施形態において、タイミング測定結果は、測定結果誤差が、測定されるタイミング差と距離差との間の差の関数として定義され得るＲＳＴＤ測定結果を含み得る。ここで、測定されるタイミング差は、第２のネットワークノード１２０からの到達時間測定結果と第３のノードからの到達時間測定結果との間の差であってもよく、これは第１の参照タイミング指標と称され得る。また、ここで、距離差は、第２のネットワークノード１２０と第１のネットワークノード１１０との間の地理的な距離と、第３のノードと第１のネットワークノード１１０との間の地理的な距離との間の差であってもよく、これは第２の参照タイミング指標と称され得る。
【０２７３】
少なくとも１つの実施形態において、上記の方法は、コアネットワーク１４０に含まれる測位ノード１３０におけるモジュールにおいて実行され得る。別の限定されない実施形態において、例えば端末がユーザ機器である場合にはユーザ機器ベースの測位に対応する、端末がそれ自身の測位を実行する場合、モジュールは、第１のネットワークノード１１０、即ち端末に備えられるエンティティであってもよい。また別の実施形態において、端末はそれ自身の測位を要求してもよく、従って、測位要求ノードは端末におけるエンティティである。本明細書において利用される「端末（terminal）」という表現は、測位されつつある任意の装置又はノードを指す限定されない用語として理解されるべきである。
【０２７４】
これにより、相関器出力を品質メトリックに関連させる単純で簡単な二方向テストが提供され、これは、前述のように測位測定結果の信頼性を改善するために用いられ得る。
【０２７５】
図８は、モジュール８００を概略的に図示する。モジュール８００は、動作７０１〜７０５のうちのいずれか、幾つか、又は全てを実行して、チャネル特性の値を品質メトリック値に関連させることによって品質関数を取得するように構成され、これらの値はタイミング測定結果に関連付けられる。幾つかの実施形態によれば、モジュール８００は、第１のネットワークノード１１０に備えられてもよい。しかしながら、幾つかの実施形態によれば、モジュール８００は、測位ノード１３０に代わりに備えられてもよい。測位ノード１３０及び／又は第１のネットワークノード１１０は、無線通信ネットワーク１００に含まれる。幾つかの実施形態によれば、無線通信ネットワーク１００は、ＬＴＥネットワークを含んでもよい。測位ノード１３０は、例えばＥ−ＳＭＬＣを含んでもよい。様々な実施形態によれば、第１のネットワークノード１１０は、例えば、携帯電話、ユーザ機器、又は基地局を含んでもよい。
【０２７６】
動作７０１〜７０５を正確に実行するために、モジュール８００は、第２のネットワークノード１２０から受信される信号についての参照タイミング指標を取得するように構成されるプロセッサ８２０を備える。さらに、プロセッサ８２０は、第２のネットワークノード１２０によって送信される信号について第１のネットワークノード１１０によってタイミング測定結果を取得するように構成される。また、プロセッサ８２０は、参照タイミング指標と取得されるタイミング測定結果との間の差に基づいて、タイミング測定結果誤差と、取得されるタイミング測定結果各々についてのチャネル特性の少なくとも１つの値とを算出するように構成される。さらに、プロセッサ８２０は、チャネル特性を対応するタイミング測定結果に関連付け、チャネル特性とタイミング測定結果誤差との間の関係を反映する品質メトリックを定義するようにも構成される。
【０２７７】
モジュール８００は、例えば受信機８１０も随意的に備え得る。受信機８１０は、第１のネットワークノード１１０の地理的な位置を、例えばＧＰＳ受信機から取得するように構成され得る。幾つかの実施形態によれば、随意的なＧＰＳ受信機は、第１のネットワークノード１１０内に備えられるか、又は、第１のネットワークノード１１０に接続されてもよい。さらに、受信機８１０は、第１のネットワークノード１１０と第１のネットワークノード１１０によって測定されるべき信号を送信している第２のネットワークノード１２０との間の距離の形で参照タイミング指標を取得するように構成されてもよい。さらに、受信機８１０は、第２のネットワークノード１２０によって送信される信号について第１のネットワークノード１１０によって参照タイミング指標を取得するようにも構成され得る。また、受信機８１０は、タイミング測定結果誤差と、取得されるタイミング測定結果各々についてのチャネル特性の値とを取得するようにも構成され得る。
【０２７８】
従って、動作７０１〜７０５に係る方法を実装するためのモジュール８００は、プロセッサ８２０を備え得るか、又は、プロセッサ８２０に接続され得る。プロセッサ８２０は、上記の動作７０１〜７０５のうちの少なくとも幾つかを処理して、チャネル特性の値を品質メトリック値に関連させることによって品質関数を取得するように構成され得る。これらの値は、タイミング測定結果に関連付けられる。
【０２７９】
プロセッサ８２０は、例えば、中央処理装置（ＣＰＵ）、マイクロプロセッサ、処理回路、又は、命令を解釈し及び実行し得る他の処理ロジックによって表されてもよい。プロセッサ８２０は、呼処理制御、ユーザインタフェース制御等といった装置制御機能及びデータバッファリングを含むデータの入力、出力、及び処理のためのデータ処理機能を実行し得る。従って、動作７０１〜７０５は、動作７０１〜７０５の機能を実行するためのコンピュータプログラムコードと共に、１つ以上のプロセッサ８２０によって実装され得る。従って、動作７０１〜７０５を実行するための命令を含むコンピュータプログラムプロダクトは、当該コンピュータプログラムプロダクトがプロセッサ８２０にロードされる場合に、これらの動作を実行して、チャネル特性の値を品質メトリック値に関連させることによって品質関数を取得し得る。これらの値は、タイミング測定結果に関連付けられる。
【０２８０】
上記のコンピュータプログラムプロダクトは、例えば、プロセッサ８２０にロードされる場合に本解決法に係る動作７０１〜７０５を実行するためのコンピュータプログラムコードを担持するデータキャリアの形で提供され得る。データキャリアは、例えば、ハードディスク、ＣＤ  ＲＯＭディスク、メモリスティック、光学記憶装置、磁気記憶装置、又は、機械読み取り可能なデータを保持し得るディスク若しくはテープといった任意の他の適当な媒体といった、コンピュータ読み取り可能な記憶媒体であってよい。さらに、コンピュータプログラムコードは、サーバ上のプログラムコードとして提供され、例えばインターネット接続又はイントラネット接続を介してリモートでダウンロードされ得る。
【０２８１】
「含む」又は「備える」という語句を用いる場合、当該語句は限定されないもの、即ち「から少なくとも成る」を意味するものとして解釈されるべきである。本解決法は、上記の好適な実施形態に限定されない。種々の代替案、変形例、及び均等物が用いられてもよい。それ故に、上記の実施形態は主張される保護の範囲を限定するものとして解釈されるべきではなく、当該範囲は、むしろ添付の特許請求の範囲によって定義されるべきものである。
【図１Ａ】
2013520922.tif 000014
【図１Ｂ】
2013520922.tif 000015
【図２Ａ】
2013520922.tif 000016
【図２Ｂ】
2013520922.tif 000017
【図２Ｃ】
2013520922.tif 000018
【図２Ｄ】
2013520922.tif 000019
【図３】
2013520922.tif 000020
【図４】
2013520922.tif 000021
【図５】
2013520922.tif 000022
【図６】
2013520922.tif 000023
【図７】
2013520922.tif 000024
【図８】
2013520922.tif 000025
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
時間ベースの測定結果をチャネル特性の値と関連付けることによって、当該測定結果の品質推定を可能にするための第１のネットワークノード（１１０）における方法であって、前記チャネル特性の前記値は、通信チャネルのチャネル遅延スプレッド、測定される信号品質若しくは受信される信号強度、又は、リファレンス信号の相関情報のうちのいずれかに基づき、当該第１のネットワークノード（１１０）と第２のネットワークノード（１２０）とは無線通信ネットワーク（１００）に備えられ、前記方法は、
前記第２のネットワークノード（１２０）から受信される信号に基づいてタイミング測定を実行すること（３０２）と、
前記第２のネットワークノード（１２０）から受信される前記信号についてのチャネル特性の値を判定すること（３０３）と、
前記チャネル特性の判定される前記値を前記タイミング測定結果に関連付けること（３０４）と、
を含む、方法。
【請求項２】
前記タイミング測定結果は、リファレンス信号時間差（ＲＳＴＤ）測定結果である、請求項１に記載の方法。
【請求項３】
前記タイミング測定結果は、少なくとも１つの第２のネットワークノード（１２０）から受信される測位リファレンス信号（ＰＲＳ）に基づく、請求項１又は請求項２のいずれか１項に記載の方法。
【請求項４】
前記チャネル特性の判定される前記値を前記タイミング測定結果に関連付けること（３０４）は、
前記チャネル特性の判定される前記値を品質メトリック値に変換することと、
前記品質メトリック値を前記タイミング測定結果に関連付けることと、
を含む、請求項１〜３のいずれか１項に記載の方法。
【請求項５】
前記タイミング測定結果及び関連付けられる前記品質メトリック値に基づいて、前記第１のネットワークノード（１１０）の地理的な位置を判定すること（３０５）、
をさらに含む、請求項１〜４のいずれか１項に記載の方法。
【請求項６】
前記品質メトリック値は、前記第１のネットワークノード（１１０）についての位置算出において利用されるタイミング測定結果の重みを判定するために用いられる、請求項５に記載の方法。
【請求項７】
前記タイミング測定結果並びに判定される前記チャネル特性値及び／又は品質メトリック値の関連付けられる値を、測位ノード（１３０）に提供して、前記タイミング測定結果及び関連付けられる前記チャネル特性値及び／又は前記品質メトリック値に基づいて、前記第１のネットワークノード（１１０）の測位を可能にすること、
をさらに含む、請求項１〜６のいずれか１項に記載の方法。
【請求項８】
相関出力の少なくとも一部を前記測位ノード（１３０）にシグナリングすること、
をさらに含む、請求項７に記載の方法。
【請求項９】
前記タイミング測定（３０２）をトリガする測位要求を受信すること（３０１）、
をさらに含む、請求項１〜８のいずれか１項に記載の方法。
【請求項１０】
判定される前記チャネル特性値の品質メトリック値への前記変換は、判定される前記チャネル特性値を、メモリ中のルックアップテーブルにおける所定の対応する品質メトリック値のリストにマッピングすることによって実行される、請求項２、又は、請求項２に従属する請求項３〜９のいずれか１項に記載の方法。
【請求項１１】
判定される前記チャネル特性値の品質メトリック値への前記変換は、前記チャネル特性の前記値を前記品質メトリック値に関連させる、指数関数といった品質関数を実行することを含む、請求項２、又は、請求項２に従属する請求項３〜９のいずれか１項に記載の方法。
【請求項１２】
前記タイミング測定結果及び関連付けられる前記品質メトリック値に基づいて、前記第１のネットワークノード（１１０）の前記地理的な位置を判定すること（３０５）は、
個別のネットワークノード（１２０−１，１２０−２，１２０−３）から受信される信号について得られる複数のタイミング測定結果を取得することと、各測定結果は取得される品質メトリック値に関連付けられることと、
品質メトリック値の対応するセットを取得することと、
取得される前記タイミング測定結果を、それぞれの関連付けられる前記品質メトリック値に基づいて、優先順位リストにおいてソートすることと、
基準に従って前記優先順位リストから優先順で選択される前記タイミング測定結果のサブセットに基づいて、前記第１のネットワークノード（１１０）の前記地理的な位置を算出することと、
を含む、請求項５〜１１のいずれか１項に記載の方法。
【請求項１３】
前記基準は、閾値によって与えられ、前記タイミング測定結果のサブセットは、その品質値が当該閾値の一方の側に存在する測定結果を含む、請求項１２に記載の方法。
【請求項１４】
より高い品質メトリック値を有する前記タイミング測定結果は、前記位置算出においてより高い重みを与えられる、請求項１２又は請求項１３のいずれか１項に記載の方法。
【請求項１５】
時間ベースの測定結果の前記品質推定結果は、所与の信頼水準における前記測定結果の不確かさをさらに含む、請求項１〜１４のいずれか１項に記載の方法。
【請求項１６】
前記第１のネットワークノード（１１０）はユーザ機器を含み、前記第２のネットワークノード（１２０）は基地局を含む、請求項１〜１５のいずれか１項に記載の方法。
【請求項１７】
前記第１のネットワークノード（１１０）は基地局を含み、前記第２のネットワークノード（１２０）はユーザ機器を含む、請求項１〜１５のいずれか１項に記載の方法。
【請求項１８】
レポートされる各ＲＳＴＤ値及び所与の信頼水準について、前記ＲＳＴＤ値を取得するために用いられるものと同じ統計的な演算を適用することによって取得される、推定されるＲＳＴＤ品質についての１つのレポートされる値が存在し得る、請求項２〜１７のいずれか１項に記載の方法。
【請求項１９】
時間ベースの測定結果の前記品質推定結果は、特定の測位サービス品質（ＱｏＳ）に関連付けられる、請求項１〜１８のいずれか１項に記載の方法。
【請求項２０】
時間ベースの測定結果とチャネル特性の値との関連付けにより、当該測定結果の品質推定を可能にするための第１のネットワークノード（１１０）であって、前記チャネル特性の前記値は、通信チャネルのチャネル遅延スプレッド、測定される信号品質若しくは受信される信号強度、又は、リファレンス信号の相関情報のうちのいずれかに基づき、当該第１のネットワークノード（１１０）と第２のネットワークノード（１２０）とは無線通信ネットワーク（１００）に備えられ、前記第１のネットワークノード（１１０）は、
前記第２のネットワークノード（１２０）から受信される信号に基づいてタイミング測定を実行し、前記第２のネットワークノード（１２０）から受信される信号についてのチャネル特性の値を判定し、前記チャネル特性の判定される前記値を前記タイミング測定結果に関連付けるように構成されるプロセッサ（４２０）、
を備える、第１のネットワークノード（１１０）。
【請求項２１】
時間ベースの測定結果に関連付けられるチャネル特性値及び／又は品質メトリック値に基づいて、当該測定結果の品質推定を可能にするための、測位ノード（１３０）における方法であって、当該測位ノード（１３０）と第１のネットワークノード（１１０）とは無線通信ネットワーク（１００）に備えられ、当該方法は、
タイミング測定結果並びに関連付けられるチャネル特性値及び／又は品質メトリック値を前記第１のネットワークノード（１１０）から受信（５０１）することと、前記チャネル特性の前記値は、通信チャネルのチャネル遅延スプレッド、測定される信号品質若しくは受信される信号強度、又は、リファレンス信号の相関情報のうちのいずれかに基づくことと、
を含む、方法。
【請求項２２】
受信される前記タイミング測定結果がチャネル特性の値に関連付けられる場合、
前記チャネル特性の前記値を品質メトリック値に変換すること（５０２）と、
前記品質メトリック値を前記タイミング測定結果に関連付けること（５０３）と、
をさらに含む、請求項２１に記載の方法。
【請求項２３】
前記タイミング測定結果及び関連付けられる前記品質メトリック値に基づいて、前記第１のネットワークノード（１１０）の地理的な位置を判定すること（５０４）、
をさらに含む、請求項２１又は請求項２２のいずれか１項に記載の方法。
【請求項２４】
時間ベースの測定結果に関連付けられるチャネル特性値及び／又は品質メトリック値に基づいて、当該測定結果の品質推定を可能にするための測位ノード（１３０）であって、当該測位ノード（１３０）と第１のネットワークノード（１１０）とは無線通信ネットワーク（１００）に備えられ、前記測位ノード（１３０）は、
タイミング測定結果並びに関連付けられるチャネル特性値及び／又は品質メトリック値を前記第１のネットワークノード（１１０）から受信するように構成される受信機（６１０）、を備え、
前記チャネル特性の前記値は、通信チャネルのチャネル遅延スプレッド、測定される信号品質若しくは受信される信号強度、又は、リファレンス信号の相関情報のうちのいずれかに基づく、
測位ノード（１３０）。
【請求項２５】
チャネル特性の値を品質メトリック値に関連させることによって品質関数を取得するための、無線通信ネットワーク（１００）におけるモジュール（８００）における方法であって、これらの値はタイミング測定結果に関連付けられ、前記チャネル特性の前記値は、通信チャネルのチャネル遅延スプレッド、測定される信号品質若しくは受信される信号強度、又は、リファレンス信号の相関情報のうちのいずれかに基づき、当該方法は、
第２のネットワークノード（１２０）から受信される信号について参照タイミング指標を取得すること（７０１）と、
前記第２のネットワークノード（１２０）によって送信される信号について、前記第１のネットワークノード（１１０）によってタイミング測定結果を取得すること（７０２）と、
前記参照タイミング指標と取得される前記タイミング測定結果との間の差に基づいて、取得されるタイミング測定結果ごとに、タイミング測定結果誤差とチャネル特性の少なくとも１つの値とを算出すること（７０３）と、
前記チャネル特性を対応する前記タイミング測定結果に関連付けること（７０４）と、
前記チャネル特性と前記タイミング測定結果誤差との間の関係を反映する品質メトリックを定義すること（７０５）と、
を含む、方法。
【請求項２６】
チャネル特性の値を品質メトリック値に関連させることによって品質関数を取得するための、無線通信ネットワーク（１００）におけるモジュール（８００）であって、これらの値はタイミング測定結果に関連付けられ、前記チャネル特性の前記値は、通信チャネルのチャネル遅延スプレッド、測定される信号品質若しくは受信される信号強度、又は、リファレンス信号の相関情報のうちのいずれかに基づき、当該モジュール（８００）は、
第２のネットワークノード（１２０）から受信される信号について参照タイミング指標を取得し、
前記第２のネットワークノード（１２０）によって送信される信号について、前記第１のネットワークノード（１１０）によってタイミング測定結果を取得し、
前記参照タイミング指標と取得される前記タイミング測定結果との間の差に基づいて、取得されるタイミング測定結果ごとに、タイミング測定結果誤差とチャネル特性の少なくとも１つの値とを算出し、
前記チャネル特性を対応する前記タイミング測定結果に関連付け、前記チャネル特性と前記タイミング測定結果誤差との間の関係を反映する品質メトリックを定義する、
ように構成されるプロセッサ（８２０）、
を備える、モジュール（８００）。
【国際調査報告】
2013520922.tif 000026
2013520922.tif 000027
2013520922.tif 000028